(57)【要約】  制御情報の誤検出を低減することにより、システムスループットの低下を防止できる基地局、端末、送信方法、及び受信方法。基地局（１００）において、ＰＤＣＣＨ生成部（１０４）が、端末（２００）の識別情報によってマスキング又はスクランブリングされた巡回冗長検査（ＣＲＣ）ビットと、端末（２００）との間で互いに既知のビット列（つまり、Ｖｉｒｔｕａｌ ＣＲＣ）との両方を含む下り割当制御情報ユニット（つまり、ＤＣＩ）を形成し、割当部（１０８）及び多重部（１０９）が、形成されたＤＣＩを、下り制御チャネル領域及び下りデータチャネル領域のいずれにも利用可能なリソース領域（つまり、Ｒ−ＰＤＣＣＨ領域）にマッピングする。すなわち、ＰＤＣＣＨ生成部（１０４）は、端末２００宛のＤＣＩをＲ−ＰＤＣＣＨ領域にマッピングする場合にのみ、ＤＣＩにＶｉｒｔｕａｌ ＣＲＣを含める。
2012029244.tif 000002
【特許請求の範囲】
【請求項１】
端末の識別情報によってマスキング又はスクランブリングされた巡回冗長検査（ＣＲＣ）ビットと、前記端末が既知の既知ビットとの両方を含む制御情報を形成する形成部と、
形成された前記制御情報を、制御チャネル及びデータチャネルのいずれにも使用可能なリソース領域にマッピングするマッピング部と、
を具備する基地局。
【請求項２】
前記制御情報は、複数のフィールドから構成され、前記既知ビットは、特定の前記フィールドに含まれる、
請求項１に記載の基地局。
【請求項３】
前記既知ビットは、前記端末に対して、前記データチャネルとして割り当てるリソースブロック（ＲＢ）を示すための前記フィールドに含まれる、
請求項２に記載の基地局。
【請求項４】
前記既知ビットは、前記端末に対して、変調方式及び符号化方式を示すための前記フィールドに含まれる、
請求項２に記載の基地局。
【請求項５】
前記形成部は、前記制御情報が一定のビットサイズになるように、パディングビットを付加する、
請求項１に記載の基地局。
【請求項６】
制御チャネル及びデータチャネルのいずれにも使用可能なリソース領域で、宛先端末の識別情報によってマスキング又はスクランブリングされた巡回冗長検査（ＣＲＣ）ビットと、所定のビットとの両方を含む制御情報を受信する受信部と、
前記所定のビットと、既知の既知ビットとが一致する場合に、前記制御情報が自局宛であると判定する判定部と、
を具備する端末。
【請求項７】
前記制御情報は、複数のフィールドから構成され、前記既知ビットは、特定の前記フィールドに含まれている、
請求項６に記載の端末。
【請求項８】
前記既知ビットは、前記宛先端末に対して、前記データチャネルとして割り当てられたリソースブロック（ＲＢ）を示すための前記フィールドに含まれている、
請求項７に記載の端末。
【請求項９】
前記既知ビットは、前記宛先端末に対して、変調方式及び符号化方式を示すための前記フィールドに含まれている、
請求項７に記載の端末。
【請求項１０】
端末の識別情報によってマスキング又はスクランブリングされた巡回冗長検査（ＣＲＣ）ビットと、前記端末が既知の既知ビットとの両方を含む制御情報を形成し、
形成された前記制御情報を、制御チャネル及びデータチャネルのいずれにも使用可能なリソース領域にマッピングする、
送信方法。
【請求項１１】
制御チャネル及びデータチャネルのいずれにも使用可能なリソース領域で、宛先端末の識別情報によってマスキング又はスクランブリングされた巡回冗長検査（ＣＲＣ）ビットと、所定のビットとの両方を含む制御情報を受信し、
前記所定のビットと、既知の既知ビットとが一致する場合に、前記制御情報が自局宛であると判定する、
受信方法。
【発明の詳細な説明】
【技術分野】
【０００１】
本発明は、基地局、端末、送信方法、及び受信方法に関する。
【背景技術】
【０００２】
３ＧＰＰ−ＬＴＥ(3rd Generation Partnership Project Radio Access Network Long Term Evolution、以下、ＬＴＥという)では、下り回線の通信方式としてＯＦＤＭＡ（Orthogonal Frequency Division Multiple Access）が採用され、上り回線の通信方式としてＳＣ−ＦＤＭＡ（Single Carrier Frequency Division Multiple Access）が採用されている（例えば、非特許文献１、２、３参照）。【０００３】
ＬＴＥでは、無線通信基地局装置（以下、「基地局」と省略する）は、システム帯域内のリソースブロック（Resource Block：ＲＢ）を、サブフレームと呼ばれる時間単位毎に無線通信端末装置（以下、「端末」と省略する）に対して割り当てることにより通信を行う。また、基地局は、下り回線データおよび上り回線データに対するリソース割当結果を通知するための下り制御情報（Ｌ１／Ｌ２制御情報）を端末へ送信する。この下り制御情報は、例えばＰＤＣＣＨ（Physical Downlink Control Channel）等の下り回線制御チャネルを用いて端末へ送信される。ここで、各ＰＤＣＣＨは、１つまたは連続する複数のＣＣＥ（Control Channel Element）で構成されるリソースを占有する。ＬＴＥでは、ＰＤＣＣＨが占有するＣＣＥ数（ＣＣＥ連結数：CCE aggregation level）は、下り制御情報の情報ビット数または端末の伝搬路状態に応じて、１，２，４，８の中の１つが選択される。なお、ＬＴＥでは、システム帯域幅として最大２０ＭＨｚの幅を持つ周波数帯域がサポートされる。【０００４】
また、基地局から送信される割当制御情報はＤＣＩ（Downlink Control Information）と呼ばれる。基地局は１サブフレームに複数の端末を割り当てる場合、複数のＤＣＩを同時に送信する。このとき、基地局は、各ＤＣＩの送信先の端末を識別するために、送信先の端末ＩＤでマスキング（または、スクランブリング）したＣＲＣビットをＤＣＩに含めて送信する。そして、端末は、自端末宛ての可能性がある複数のＤＣＩにおいて、自端末の端末ＩＤでＣＲＣビットをデマスキング（または、デスクランブリング）することによりＰＤＣＣＨをブラインド復号して、自端末宛のＤＣＩを検出する。【０００５】
また、ＤＣＩには、基地局が端末に対して割り当てたリソースの情報（リソース割当情報）およびＭＣＳ（Modulation and channel Coding Scheme）等が含まれる。また、ＤＣＩには、上り回線用、下り回線ＭＩＭＯ（Multiple Input Multiple Output）送信用、下り回線非連続帯域割当用等の複数のフォーマットがある。端末は、複数のフォーマットを有する下り割当制御情報（下り回線に関する割当制御情報）および１つのフォーマットを有する上り割当制御情報（上り回線に関する割当制御情報）の両方を受信する必要がある。【０００６】
例えば、下り割当制御情報には、基地局の送信アンテナ制御方法およびリソース割当方法等により複数のサイズのフォーマットが定義される。その複数のフォーマットのうち、連続する番号のＲＢを割り当てる帯域割当（以下、「連続帯域割当」という）を行う下り割当制御情報フォーマット（以下、単に「下り割当制御情報」という）と、連続帯域割当を行う上り割当制御情報フォーマット（以下、単に「上り割当制御情報」という）とは同一サイズを有する。これらのフォーマット（ＤＣＩフォーマット）には、割当制御情報の種別（下り割当制御情報または上り割当制御情報）を示す種別情報（例えば、１ビットのフラグ）が含まれる。よって、端末は、下り割当制御情報を示すＤＣＩのサイズと、上り割当制御情報を示すＤＣＩのサイズとが同一であっても、割当制御情報に含まれる種別情報を確認することにより、下り割当制御情報または上り割当制御情報のいずれであるかを特定することができる。【０００７】
なお、連続帯域割当を行う上り割当制御情報が送信される際のＤＣＩフォーマットは、ＤＣＩ  ｆｏｒｍａｔ０（以下、ＤＣＩ  ０という）と呼ばれ、連続帯域割当を行う下り割当制御情報が送信される際のＤＣＩフォーマットは、ＤＣＩ  ｆｏｒｍａｔ１Ａ（以下、ＤＣＩ  １Ａという）と呼ばれる。なお、上述したようにＤＣＩ  ０およびＤＣＩ  １Ａは、同一サイズであり種別情報によって区別できるので、以下の説明では、ＤＣＩ  ０およびＤＣＩ  １ＡをＤＣＩ  ０／１Ａとまとめて表記する。【０００８】
また、上記ＤＣＩフォーマット以外にも、下り回線において、連続しない番号のＲＢを割り当てる帯域割当（以下、「非連続帯域割当」という）を行うＤＣＩ  ｆｏｒｍａｔ１（以下、ＤＣＩ  １という）および空間多重ＭＩＭＯ送信を割り当てるＤＣＩ  ｆｏｒｍａｔ２および２Ａ（以下、ＤＣＩ  ２，２Ａという）、ビームフォーミング送信を割り当てる下り割当制御情報のフォーマット（「ビームフォーミング割当下りフォーマット」：ＤＣＩ  ｆｏｒｍａｔ１Ｂ）、マルチユーザＭＩＭＯ送信を割り当てる下り割当制御情報のフォーマット（「マルチユーザＭＩＭＯ割当下りフォーマット」：ＤＣＩ  ｆｏｒｍａｔ１Ｄ）等がある。ここで、ＤＣＩ  １，２，２Ａ，１Ｂ，１Ｄは、端末の下り送信モード（非連続帯域割当，空間多重ＭＩＭＯ送信，ビームフォーミング送信，マルチユーザＭＩＭＯ送信）に依存して使用されるフォーマットであり、端末毎に設定されるフォーマットである。一方、ＤＣＩ  ０／１Ａは、送信モードに依存せず、いずれの送信モードの端末に対しても使用できるフォーマット、つまり、全端末に対して共通に使用されるフォーマットである。また、ＤＣＩ  ０／１Ａが用いられた場合には、デフォルトの送信モードとして１アンテナ送信または送信ダイバーシチが用いられる。一方、上り回線割当向けのフォーマットとして、非連続帯域割当を行うＤＣＩ  ｆｏｒｍａｔ  ０Ａ及び空間多重ＭＩＭＯ送信を割り当てるＤＣＩ  ｆｏｒｍａｔ  ０Ｂが検討されている。これらはいずれも端末毎に設定されるフォーマットである。【０００９】
また、端末の回路規模を低減するためにブラインド復号の回数を削減することを目的として、ブラインド復号の対象となるＣＣＥを、端末毎に限定する方法が検討されている。この方法では、各端末によるブラインド復号の対象と成りうるＣＣＥ領域（以下、「サーチスペース（Search Space）」という）を限定する。ここでは、各端末に割り当てられるＣＣＥ領域の単位（つまり、ブラインド復号する単位に相当）は、「下り制御情報割当領域候補（ＤＣＩ割当領域候補）」又は「復号対象単位領域候補」と呼ぶ。【００１０】
ＬＴＥでは、サーチスペースは、端末毎にランダムに設定される。このサーチスペースを構成するＣＣＥ数は、ＰＤＣＣＨのＣＣＥ連結数毎に定義される。例えば、サーチスペースの構成ＣＣＥの数は、ＰＤＣＣＨのＣＣＥ連結数１，２，４，８それぞれに対応して、６，１２，８，１６となる。この場合、復号対象単位領域候補の数は、ＰＤＣＣＨのＣＣＥ連結数１，２，４，８それぞれに対応して、６候補（６＝６÷１），６候補（６＝１２÷２），２候補（２＝８÷４），２候補（２＝１６÷８）となる。すなわち、復号対象単位領域候補は、合計１６候補に限定される。これにより、各端末は、自端末に割り当てられたサーチスペース内の復号対象単位領域候補群に対してのみ、ブラインド復号を行えばよいため、ブラインド復号の回数を削減することができる。ここで、各端末のサーチスペースは、各端末の端末ＩＤと、ランダム化を行う関数であるハッシュ（hash）関数とを用いて設定される。この端末特有のＣＣＥ領域は、個別領域（UE specific Search Space：ＵＥ−ＳＳ）と呼ばれる。【００１１】
一方、ＰＤＣＣＨには、複数の端末に対して同時に通知される、端末共通のデータ割当のための制御情報（例えば、下り報知信号に関する割当情報および呼び出し（Paging）用の信号に関する割当情報）（以下、「共通チャネル向け制御情報」と呼ぶ）も含まれる。共通チャネル向け制御情報を伝送するために、ＰＤＣＣＨには、下り報知信号を受信すべき全端末に共通するＣＣＥ領域（以下、共通領域（Common Search Space：Ｃ−ＳＳ）と呼ぶ）が用いられる。Ｃ−ＳＳには、復号対象単位領域候補が、ＣＣＥ連結数４および８それぞれに対して、４候補（４＝１６÷４），２候補（２＝１６÷８）の合計６候補だけ存在する。【００１２】
また、端末は、ＵＥ−ＳＳでは、全端末に対して共通に使用されるＤＣＩフォーマット（ＤＣＩ  ０／１Ａ）、および、送信モードに依存したＤＣＩフォーマット（ＤＣＩ  １，２，２Ａから１つ）の２種類のサイズのＤＣＩフォーマットそれぞれについてブラインド復号を行う。例えば、端末は、２種類のサイズのＤＣＩフォーマットに対して、ＵＥ−ＳＳ内でそれぞれ上記１６回のブラインド復号を行う。どの２種類のサイズのＤＣＩフォーマットをブラインド復号するかは、基地局より通知される送信モードに依って決まる。また、端末は、Ｃ−ＳＳでは、通知された送信モードに依らず、共通チャネル割当用フォーマットであるＤＣＩ  ｆｏｒｍａｔ１Ｃ（以下、ＤＣＩ  １Ｃという）およびＤＣＩ  １Ａのそれぞれについて上記６回のブラインド復号（つまり、合計１２回のブラインド復号）を行う。従って、端末は、サブフレームあたり、合計４４回のブラインド復号を行うことになる。【００１３】
ここで、共通チャネル割当に用いられるＤＣＩ  １Ａと端末個別のデータ割当に用いられるＤＣＩ  ０／１Ａとは同一サイズであり、端末ＩＤによりそれぞれが区別される。そのため、基地局は、端末のブラインド復号回数を増やすことなく、端末個別のデータ割当を行うＤＣＩ  ０／１ＡをＣ−ＳＳでも送信することができる。【００１４】
また、ＬＴＥよりも更なる通信の高速化を実現する３ＧＰＰ  ＬＴＥ−Ａｄｖａｎｃｅｄ（以下、ＬＴＥ−Ａという）の標準化が開始されている。ＬＴＥ−Ａでは、最大１Ｇｂｐｓ以上の下り伝送速度および最大５００Ｍｂｐｓ以上の上り伝送速度を実現するために、４０ＭＨｚ以上の広帯域周波数で通信可能な基地局および端末（以下、ＬＴＥ−Ａ端末という）が導入される見込みである。また、ＬＴＥ−Ａシステムは、ＬＴＥ−Ａ端末のみでなく、ＬＴＥシステムに対応する端末（以下、ＬＴＥ端末という）を収容することが要求されている。【００１５】
さらに、ＬＴＥ−Ａでは、カバレッジの拡大を達成するために、無線通信中継装置（以下、「中継局」又は「ＲＮ：Ｒｅｌａｙ  Ｎｏｄｅ」という）の導入も規定された（図１参照）。これに伴い、基地局から中継局への下り回線制御チャネル（以下、「Ｒ−ＰＤＣＣＨ」という）に関する標準化が進んでいる（例えば、非特許文献４乃至７参照）。現在の段階では、Ｒ−ＰＤＣＣＨに関して、以下の事項が検討されている。図２には、Ｒ−ＰＤＣＣＨ領域の一例が示されている。
（１）Ｒ−ＰＤＣＣＨの時間軸方向のマッピング開始位置は、１サブフレームの先頭から４番目のＯＦＤＭシンボルに固定される。これは、ＰＤＣＣＨが時間軸方向に占める割合に依存しない。
（２）各Ｒ−ＰＤＣＣＨは、１つまたは連続する複数のＲ−ＣＣＥ（Relay-Control Channel Element）で構成されるリソースを占有する。１つのＲ−ＣＣＥを構成するＲＥの数は、スロット毎、又は、参照信号の配置毎に異なる。具体的には、Ｒ−ＣＣＥは、スロット０では、時間方向では第３ＯＦＤＭシンボルからスロット０の終わりまでの範囲を持ち、且つ、周波数方向では１ＲＢ幅の範囲を持つリソース領域（ただし、参照信号がマッピングされている領域を除く）として規定される。また、スロット１では、時間方向ではスロット１のはじめからスロット１の終わりまでの範囲を持ち、且つ、周波数方向では１ＲＢ幅の範囲を持つリソース領域（ただし、参照信号がマッピングされている領域を除く）として規定される。ただし、スロット１では、上記したリソース領域を２つに分けて、それぞれを１つのＲ−ＣＣＥにする提案も為されている。
【先行技術文献】
【特許文献】
【００１６】
【非特許文献１】3GPP TS 36.211 V8.7.0, “Physical Channels and Modulation (Release 8),” September 2008
【非特許文献２】3GPP TS 36.212 V8.7.0, “Multiplexing and channel coding (Release 8),” September  2008
【非特許文献３】3GPP TS 36.213 V8.7.0, “Physical layer procedures (Release 8),”September  2008
【非特許文献４】3GPP TSG RAN WG1 meeting, R1-102700, “Backhaul Control Channel Design in Downlink,” May 2010
【非特許文献５】3GPP TSG RAN WG1 meeting, R1-102881, “R-PDCCH placement,”May 2010
【非特許文献６】3GPP TSG RAN WG1 meeting, R1-103040, “R-PDCCH search space design”May 2010
【非特許文献７】3GPP TSG RAN WG1 meeting, R1-103062, “Supporting frequency diversity and frequency selective R-PDCCH transmissions” May 2010
【発明の概要】
【発明が解決しようとする課題】
【００１７】
ところで、今後、Ｍ２Ｍ（Machine to Machine）通信等、様々な機器が無線通信端末として導入されることを考慮すると、端末数の増加によりＰＤＣＣＨがマッピングされる領域（以下、「ＰＤＣＣＨ領域」という）のリソース不足が懸念される。このリソース不足によってＰＤＣＣＨがマッピングできなくなると、端末に対する下りデータ割当を行えない。このため、下りデータがマッピングされるリソース領域（以下、「ＰＤＳＣＨ領域」という）が空いていても使用することができずに、システムスループットが低下してしまう恐れがある。このリソース不足を解消する方法として、基地局配下の端末に向けたＤＣＩを、前述のＲ−ＰＤＣＣＨがマッピングされる領域（以下、「Ｒ−ＰＤＣＣＨ領域」という）にも配置することが考えられる（図３参照）。【００１８】
また、図４に示すようなマクロ基地局とフェムト／ピコ基地局とから構成されるヘテロジニアスネットワークにおいては、いずれのセルでも、他のセルからの影響によりＰＤＣＣＨ領域での干渉が増大するという懸念がある。例えば、マクロセルに接続している端末がフェムトセルの近傍に位置する場合（特に、その端末がフェムト基地局への接続を許可されていない場合）には、その端末は、フェムトセルから大きな干渉を受ける。又は、ピコセルに接続している端末がピコセルのセルエッジ付近（例えば、Range expansion領域）に位置する場合、その端末はマクロセルから大きな干渉を受ける。このため、ＰＤＣＣＨ領域では、各端末での制御情報の受信性能が劣化してしまう。【００１９】
一方で、基地局接続された端末に向けたＤＣＩの送信にＲ−ＰＤＣＣＨを用いることにより、ＤＣＩの受信性能劣化を抑えることができる。すなわち、フェムト／ピコ基地局配下の端末が十分低い誤り率でＤＣＩを受信できるように、マクロ基地局では、特定のＲＢで送信電力を下げてＤＣＩが送信される一方、フェムト／ピコ基地局では、その特定のＲＢで配下の端末向けにＤＣＩが送信される。これにより、フェムト／ピコ基地局に接続されている端末は、マクロ基地局からの干渉が低いＲＢでＤＣＩを受信できるので、良好な誤り率でＤＣＩを受信できる。同様に、マクロ基地局に接続された端末も、マクロ基地局がフェムト／ピコ基地局からの干渉の低いＲＢでＤＣＩを送信することにより、良好な誤り率でＤＣＩを受信できる。【００２０】
しかしながら、基地局接続された端末に向けたＤＣＩを送信する領域として、ＰＤＣＣＨ領域に、Ｒ−ＰＤＣＣＨ領域を単純に加えるだけでは、端末におけるブラインド復号回数が増加し、消費電力および処理遅延の増大、および、回路規模の増大が発生してしまうという課題が生じる。【００２１】
この課題を解決するためには、ＰＤＣＣＨとＲ−ＰＤＣＣＨとの両方を合わせたブラインド復号回数を所定の値以下に抑えることが望ましい。例えば、ブラインド復号対象の２つのＤＣＩフォーマット（例えば、DCI format 0/1AとDCI format 2）のそれぞれに対するブラインド復号回数を、ＰＤＣＣＨで８回、Ｒ−ＰＤＣＣＨで８回、合計で３２回とすることにより、ＬＴＥと同様のブラインド復号回数に抑えることができる。【００２２】
しかしながら、端末数が増加すると、システム内でFalse alarm（制御情報の誤検出）の起こる確率が増加する。False alarm（制御情報の誤検出）とは、他の端末宛のＤＣＩまたは送信されていない信号（つまり、ノイズ成分）を自端末宛のＤＣＩとして検出してしまうことである。以下では、単に「誤検出」と言う場合、このFalse alarm（制御情報の誤検出）を意味する。この誤検出が起こった場合には、システムに対して次のような悪影響を及ぼす。例えば、上り割当制御情報の誤検出の場合には、上り回線のデータが送信されるため、他端末への干渉が増加してしまう。また、下り割当制御情報の誤検出の場合には、上り回線でＡＣＫ／ＮＡＣＫが送信されるため、他端末のＡＣＫ／ＮＡＣＫについての誤りが引き起こされる恐れがある。これらは上り回線及び下り回線におけるシステムスループットの低下を招くので、Ｆａｌｓｅ  ａｌａｒｍを低減することが必要となる。【００２３】
本発明の目的は、制御情報の誤検出を低減することにより、システムスループットの低下を防止できる基地局、端末、送信方法、及び受信方法を提供することである。
【課題を解決するための手段】
【００２４】
本発明の一態様の基地局は、端末の識別情報によってマスキング又はスクランブリングされた巡回冗長検査（ＣＲＣ）ビットと、前記端末が既知の既知ビットとの両方を含む制御情報を形成する形成部と、形成された前記制御情報を、制御チャネル及びデータチャネルのいずれにも使用可能なリソース領域にマッピングするマッピング部と、を具備する。【００２５】
本発明の一態様の端末は、制御チャネル及びデータチャネルのいずれにも使用可能なリソース領域で、宛先端末の識別情報によってマスキング又はスクランブリングされた巡回冗長検査（ＣＲＣ）ビットと、所定のビットとの両方を含む制御情報を受信する受信部と、前記所定のビットと、既知の既知ビットとが一致する場合に、前記制御情報が自局宛であると判定する判定部と、を具備する。【００２６】
本発明の一態様の送信方法は、端末の識別情報によってマスキング又はスクランブリングされた巡回冗長検査（ＣＲＣ）ビットと、前記端末が既知の既知ビットとの両方を含む制御情報を形成し、形成された前記制御情報を、制御チャネル及びデータチャネルのいずれにも使用可能なリソース領域にマッピングする。【００２７】
本発明の一態様の受信方法は、制御チャネル及びデータチャネルのいずれにも使用可能なリソース領域で、宛先端末の識別情報によってマスキング又はスクランブリングされた巡回冗長検査（ＣＲＣ）ビットと、所定のビットとの両方を含む制御情報を受信し、前記所定のビットと、既知の既知ビットとが一致する場合に、前記制御情報が自局宛であると判定する。
【発明の効果】
【００２８】
本発明によれば、制御情報の誤検出を低減することにより、システムスループットの低下を防止できる基地局、端末、送信方法、及び受信方法を提供することができる。
【図面の簡単な説明】
【００２９】
【図１】中継局の説明に供する図
【図２】Ｒ−ＰＤＣＣＨ領域の一例を示す図
【図３】Ｒ−ＰＤＣＣＨの説明に供する図
【図４】ヘテロジニアスネットワークの説明に供する図
【図５】本発明の実施の形態１に係る基地局の主要構成図
【図６】本発明の実施の形態１に係る端末の主要構成図
【図７】本発明の実施の形態１に係る基地局の構成を示すブロック図
【図８】Ｃ−ＳＳ及び或る端末に対するＵＥ−ＳＳの設定例を示す図である。
【図９】本発明の実施の形態１に係る端末の構成を示すブロック図
【図１０】基地局の動作説明に供するフロー図
【図１１】基地局の動作説明に供する他のフロー図
【図１２】ＰＤＣＣＨ領域及びＲ−ＰＤＣＣＨ領域のそれぞれで送信される情報の確率分布を示す図
【図１３】本発明の実施の形態２に係る基地局によって割り当てられる下りデータチャネル領域の説明に供する図
【図１４】本発明の実施の形態４に係る基地局の構成を示すブロック図
【図１５】本発明の実施の形態４に係る端末の構成を示すブロック図
【発明を実施するための形態】
【００３０】
以下、本発明の実施の形態について図面を参照して詳細に説明する。なお、実施の形態において、同一の構成要素には同一の符号を付し、その説明は重複するので省略する。
【００３１】
［実施の形態１］
［通信システムの概要］
本発明の実施の形態１に係る通信システムは、基地局１００と端末２００とを有する。基地局１００は、例えば、ＬＴＥ−Ａ基地局であり、端末２００は、例えば、ＬＴＥ−Ａ端末である。基地局１００は、端末２００宛の下り割当制御情報（ＤＣＩ）を、下り制御チャネル領域及び下りデータチャネル領域のいずれにも利用可能なリソース領域にマッピングして送信する。
【００３２】
図５は、本発明の実施の形態１に係る基地局１００の主要構成図である。基地局１００において、ＰＤＣＣＨ生成部１０４が、端末２００の識別情報によってマスキング又はスクランブリングされた巡回冗長検査（ＣＲＣ）ビットと、端末２００との間で互いに既知のビット列（つまり、Ｖｉｒｔｕａｌ ＣＲＣ）との両方を含む下り割当制御情報ユニット（つまり、ＤＣＩ）を形成し、多重部１０９が、形成されたＤＣＩを、下り制御チャネル領域及び下りデータチャネル領域のいずれにも利用可能なリソース領域（つまり、Ｒ−ＰＤＣＣＨ領域）にマッピングする。すなわち、ＰＤＣＣＨ生成部１０４は、端末２００宛のＤＣＩをＲ−ＰＤＣＣＨ領域にマッピングする場合にのみ、ＤＣＩにＶｉｒｔｕａｌ ＣＲＣを含める。
【００３３】
図６は、本発明の実施の形態１に係る端末２００の主要構成図である。端末２００において、分離部２０５が、下り制御チャネル領域及び下りデータチャネル領域のいずれにも利用可能なリソース領域（つまり、Ｒ−ＰＤＣＣＨ領域）で、宛先端末の識別情報によってマスキング又はスクランブリングされた巡回冗長検査（ＣＲＣ）ビットと、所定のビット列との両方を含む下り割当制御情報ユニット（つまり、ＤＣＩ）を受信し、ＰＤＣＣＨ受信部２０７が、所定のビット列（つまり、Ｖｉｒｔｕａｌ ＣＲＣ）と、自局で保持している判定基準ビット列とが一致する場合にのみ、受信ＤＣＩが自局宛であると判定する。
【００３４】
［基地局１００の構成］
図７は、本発明の実施の形態１に係る基地局１００の構成を示すブロック図である。図７において、基地局１００は、設定部１０１と、制御部１０２と、サーチスペース設定部１０３と、ＰＤＣＣＨ生成部１０４と、符号化・変調部１０５，１０６，１０７と、割当部１０８と、多重部１０９と、ＩＦＦＴ（Inverse Fast Fourier Transform）部１１０と、ＣＰ（Cyclic Prefix）付加部１１１と、送信ＲＦ部１１２と、アンテナ１１３と、受信ＲＦ部１１４と、ＣＰ除去部１１５と、ＦＦＴ（Fast Fourier Transform）部１１６と、抽出部１１７と、ＩＤＦＴ（Inverse Discrete Fourier transform）部１１８と、データ受信部１１９と、ＡＣＫ／ＮＡＣＫ受信部１２０とを有する。
【００３５】
設定部１０１は、端末２００向けのＤＣＩの送信に利用するリソース領域（つまり、送信領域）を設定すると共に、端末２００の上り回線および下り回線それぞれの送信モードを設定する。リソース領域の設定及び送信モードの設定は、設定対象の端末２００毎に行われる。リソース領域及び送信モードに関する設定情報は、制御部１０２、サーチスペース設定部１０３、ＰＤＣＣＨ生成部１０４および符号化・変調部１０６へ送出される。
【００３６】
具体的には、設定部１０１は、送信領域設定部１３１と、送信モード設定部１３２とを有する。
【００３７】
送信領域設定部１３１は、端末２００向けのＤＣＩの送信に利用するリソース領域を設定する。設定されるリソース領域の候補には、ＰＤＣＣＨ領域と、Ｒ−ＰＤＣＣＨ領域とが含まれる。すなわち、送信領域設定部１３１は、ＤＣＩを送る領域（送信領域）として、ＰＤＣＣＨ領域に加え、Ｒ−ＰＤＣＣＨ領域も含めるか否かを端末２００毎に設定する。例えば、通常時には、端末２００向けにＰＤＣＣＨ領域が設定され、基地局１００の配下で通信している端末２００の数が多いためＰＤＣＣＨ領域が逼迫する懸念が生じた場合、又はＰＤＣＣＨ領域での干渉が大きいと判断された場合等には、端末２００向けにＰＤＣＣＨ領域及びＲ−ＰＤＣＣＨ領域の両方（又は、Ｒ−ＰＤＣＣＨ領域のみ）が設定される。すなわち、送信領域設定部１３１は、端末２００毎にＰＤＣＣＨ領域のみをブラインド復号するか、ＰＤＣＣＨ領域及びＲ−ＰＤＣＣＨ領域の双方（又は、Ｒ−ＰＤＣＣＨ領域のみ）をブラインド復号するかを設定する。なお、送信領域設定部１３１において、ＤＣＩの送信領域としてＲ−ＰＤＣＣＨ領域も含めるか否かを、どのような条件に基づき判断するかは限定されない。また、送信領域設定部１３１は、ＲＢ群全体の内で、ＤＣＩの送信に利用するＲ−ＰＤＣＣＨ領域として使用する使用対象ＲＢ群を設定する。この使用対象ＲＢ群は、端末２００にとっては、Ｒ−ＰＤＣＣＨ領域でＤＣＩが送信される場合のブラインド復号対象ＲＢ領域である。
【００３８】
送信モード設定部１３２は、端末２００毎の伝搬路状況等に基づいて、各端末２００の上り回線及び下り回線それぞれの送信モード（例えば、空間多重ＭＩＭＯ送信、ビームフォーミング送信、非連続帯域割当等）を設定する。
【００３９】
そして、設定部１０１は、各端末２００に設定したＤＣＩの送信領域を示す情報及び送信モードを示す情報を含む設定情報を、制御部１０２、サーチスペース設定部１０３、ＰＤＣＣＨ生成部１０４、及び符号化・変調部１０６に出力する。なお、リソース領域及び送信モードに関する設定情報は、上位レイヤの制御情報（ＲＲＣ制御情報又はRRC signalingという）として、符号化・変調部１０６を介して各端末２００へ通知される。
【００４０】
制御部１０２は、設定部１０１から受け取る設定情報に応じて、割当制御情報を生成する。
【００４１】
具体的には、制御部１０２は、ＭＣＳ情報、リソース（ＲＢ）割当情報、及び、ＮＤＩ(New data indicator)等のＨＡＲＱ関連情報を含む割当制御情報を生成する。ここで、リソース割当情報には、端末２００の上り回線データを割り当てる上りリソース（例えば、ＰＵＳＣＨ（Physical Uplink Shared Channel））を示す上りリソース割当情報、又は、端末２００宛ての下り回線データを割り当てる下りリソース（例えば、ＰＤＳＣＨ（Physical Downlink Shared Channel））を示す下りリソース割当情報が含まれる。
【００４２】
さらに、制御部１０２は、設定部１０１から受け取る設定情報に基づいて、端末２００の上り回線の送信モードに応じた割当制御情報（ＤＣＩ  ０Ａ，０Ｂのいずれか）、下り回線の送信モードに応じた割当制御情報（ＤＣＩ  １，１Ｂ，１Ｄ，２，２Ａのいずれか）、または、全端末共通の割当制御情報（ＤＣＩ  ０／１Ａ）を、端末２００毎に生成する。
【００４３】
例えば、通常のデータ送信時には、制御部１０２は、スループット向上のために、各端末２００に設定した送信モードでデータ伝送が行えるように、各端末２００の送信モードに応じた割当制御情報（ＤＣＩ  １，１Ｂ，１Ｄ，２，２Ａ，０Ａ，０Ｂのいずれか）を生成する。これにより、各端末２００に設定した送信モードでデータ伝送が行えるので、スループットを向上することができる。
【００４４】
しかし、急激な伝搬路状況の変化または隣接セルからの干渉の変化等によっては、各端末２００に設定した送信モードではデータの受信誤りが頻発する状況も起こり得る。この場合には、制御部１０２は、全端末に共通のフォーマット（ＤＣＩ  ０／１Ａ）で、割当制御情報を生成し、ロバスト（Robust）なデフォルト送信モードを用いてデータを送信する。これにより、急激に伝搬環境が変動した場合であってもよりロバストなデータ伝送が可能となる。
【００４５】
また、伝搬路状況が悪化した場合に送信モードの変更を通知するための上位レイヤの制御情報（RRC signaling）の送信時にも、制御部１０２は、全端末共通の割当制御情報（ＤＣＩ  ０／１Ａ）を生成し、デフォルト送信モードを用いて情報を送信する。ここで、全端末共通のＤＣＩ  ０／１Ａの情報ビット数は、送信モードに依存するＤＣＩ  １，２，２Ａ，０Ａ，０Ｂの情報ビット数よりも少ない。このため、同じＣＣＥ数が設定された場合、ＤＣＩ  ０／１Ａの方が、ＤＣＩ  １，２，２Ａ，０Ａ，０Ｂよりも、低い符号化率で送信することができる。よって、伝搬路状況が悪化した場合に制御部１０２がＤＣＩ  ０／１Ａを用いることにより、伝搬路状況が劣悪な端末でも良好な誤り率で割当制御情報（および、データ）を受信することができる。
【００４６】
また、制御部１０２は、端末個別のデータ割当向けの割当制御情報の他に、報知情報及びＰａｇｉｎｇ情報等の複数の端末共通のデータ割当のための、共通チャネル向け割当制御情報（例えば、ＤＣＩ  １Ｃ，１Ａ）を生成する。
【００４７】
そして、制御部１０２は、生成した端末個別のデータ割当向けの割当制御情報のうち、ＭＣＳ情報およびＮＤＩをＰＤＣＣＨ生成部１０４に出力し、上りリソース割当情報をＰＤＣＣＨ生成部１０４および抽出部１１７に出力し、下りリソース割当情報をＰＤＣＣＨ生成部１０４および多重部１０９に出力する。また、制御部１０２は、生成した共通チャネル向け割当制御情報をＰＤＣＣＨ生成部１０４に出力する。
【００４８】
サーチスペース設定部１０３は、設定部１０１から入力される設定情報に示されるＤＣＩの送信領域、及び、使用する参照信号に基づいて、共通サーチスペース（Ｃ−ＳＳ）、及び、個別サーチスペース（ＵＥ−ＳＳ）を設定する。共通サーチスペース（Ｃ−ＳＳ）は、上述のとおり、全端末に共通のサーチスペースであり、個別サーチスペース（ＵＥ−ＳＳ）は、各端末に個別のサーチスペースである。
【００４９】
具体的には、サーチスペース設定部１０３は、予め設定したＣＣＥ（例えば、先頭ＣＣＥから１６ＣＣＥ分のＣＣＥ）をＣ−ＳＳとして設定する。ＣＣＥは、基本単位である。
【００５０】
一方、サーチスペース設定部１０３は、各端末に対してＵＥ−ＳＳを設定する。サーチスペース設定部１０３は、例えば、或る端末のＵＥ−ＳＳを、その端末の端末ＩＤ及びランダム化を行うハッシュ（hash）関数を用いて算出されるＣＣＥ番号と、サーチスペースを構成するＣＣＥ数（Ｌ）とから、算出する。
【００５１】
図８は、Ｃ−ＳＳ及び或る端末に対するＵＥ−ＳＳの設定例を示す図である。
【００５２】
図８では、ＰＤＣＣＨのＣＣＥ連結数４に対して、４つのＤＣＩ割当領域候補（つまり、ＣＣＥ０〜３，ＣＣＥ４〜７，ＣＣＥ８〜１１，ＣＣＥ１２〜１５）が、Ｃ−ＳＳとして設定されている。また、ＰＤＣＣＨのＣＣＥ連結数８に対して、２つのＤＣＩ割当領域候補（つまり、ＣＣＥ０〜７，ＣＣＥ８〜１５）が、Ｃ−ＳＳとして設定されている。すなわち、図８では、合計６つのＤＣＩ割当領域候補が、Ｃ−ＳＳとして設定されている。
【００５３】
また、図８では、ＣＣＥ連結数１に対して、６つのＤＣＩ割当領域候補（つまり、ＣＣＥ１６〜２１のそれぞれ）が、ＵＥ−ＳＳとして設定されている。また、ＣＣＥ連結数２に対して、６つのＤＣＩ割当領域候補（つまり、ＣＣＥ６〜１７を２つずつ分割したもの）が、ＵＥ−ＳＳとして設定されている。また、ＣＣＥ連結数４に対して、２つのＤＣＩ割当領域候補（つまり、ＣＣＥ２０〜２３，ＣＣＥ２４〜２７）が、ＵＥ−ＳＳとして設定されている。また、ＣＣＥ連結数８に対して、２つのＤＣＩ割当領域候補（つまり、ＣＣＥ１６〜２３，ＣＣＥ２４〜３１）が、ＵＥ−ＳＳとして設定されている。すなわち、図８では、合計１６個のＤＣＩ割当領域候補が、ＵＥ−ＳＳとして設定されている。
【００５４】
また、サーチスペース設定部１０３は、ＤＣＩの送信領域としてＰＤＣＣＨ領域及びＲ−ＰＤＣＣＨ領域の双方が設定されている場合、ＰＤＣＣＨ領域及びＲ−ＰＤＣＣＨ領域に、上述した複数のＤＣＩ割当領域候補を有するサーチスペース（Ｃ−ＳＳ及びＵＥ−ＳＳ）を設定する。
【００５５】
そして、サーチスペース設定部１０３は、設定したＣ−ＳＳ及び各端末のＵＥ−ＳＳを示すサーチスペース情報を割当部１０８及び符号化・変調部１０６に出力する。
【００５６】
図７に戻り、ＰＤＣＣＨ生成部１０４は、制御部１０２から受け取る、端末個別のデータ割当向けの割当制御情報（つまり、端末毎のＭＣＳ情報、ＨＡＲＱ情報等、及び、上りリソース割当情報又は下りリソース割当情報）を含むＤＣＩ、又は、共通チャネル向け割当制御情報（つまり、端末共通の報知情報及びＰａｇｉｎｇ情報等）を含むＤＣＩを生成する。
【００５７】
ここで、ＰＤＣＣＨ生成部１０４は、端末２００向けのＤＣＩの送信にＲ−ＰＤＣＣＨが用いられる場合（つまり、端末２００向けのＤＣＩに割当部１０８でＲ−ＣＣＥが割り当てられる場合）には、ＤＣＩに「Ｖｉｒｔｕａｌ ＣＲＣ」を含める。ここでは、Ｖｉｒｔｕａｌ ＣＲＣとして、「既知ビット」が挿入される。なお、既知ビットのビット数は、あらかじめ決められた固定の数であっても良いし、基地局１００が端末２００に報知または通知することによって基地局と端末との間で共有されるビット数であっても良い。
【００５８】
さらに、ＰＤＣＣＨ生成部１０４は、端末２００毎に生成する上り割当制御情報及び下り割当制御情報並びに「Ｖｉｒｔｕａｌ ＣＲＣ」を含むＤＣＩに対してＣＲＣビットを付加し、さらにＣＲＣビットを端末ＩＤでマスキング（又は、スクランブリング）する。そして、ＰＤＣＣＨ生成部１０４は、ＣＲＣビットがマスキングされたＤＣＩを、符号化・変調部１０５に出力する。
【００５９】
すなわち、ＰＤＣＣＨ生成部１０４は、上り割当制御情報、下り割当制御情報、及びＶｉｒｔｕａｌ ＣＲＣを含み且つＣＲＣビットが付加されたＤＣＩを生成する。そして、ＣＲＣビットは端末ＩＤでマスキング（又は、スクランブリング）される一方、Ｖｉｒｔｕａｌ ＣＲＣはマスキング（又は、スクランブリング）されない。
【００６０】
符号化・変調部１０５は、ＰＤＣＣＨ生成部１０４から受け取るＤＣＩをチャネル符号化後に変調して、変調後の信号を割当部１０８に出力する。ここで、符号化・変調部１０５は、各端末から報告されるチャネル品質情報（ＣＱＩ：Channel Quality Indicator）情報に基づいて、各端末で十分な受信品質が得られるように符号化率を設定する。例えば、符号化・変調部１０５は、セル境界付近に位置する端末ほど（つまり、チャネル品質が悪い端末ほど）、より低い符号化率を設定する。
【００６１】
割当部１０８は、符号化・変調部１０５から入力される、共通チャネル向け割当制御情報を含むＤＣＩ、及び、各端末に対する端末個別のデータ割当向けの割当制御情報を含むＤＣＩを、サーチスペース設定部１０３から入力されるサーチスペース情報に示される、Ｃ−ＳＳ内のＣＣＥ又はＲ−ＣＣＥ、もしくは、端末毎のＵＥ−ＳＳ内のＣＣＥ又はＲ−ＣＣＥに、それぞれ割り当てる。
【００６２】
例えば、割当部１０８は、Ｃ−ＳＳ（例えば、図８）内のＤＣＩ割当領域候補群の中から１つのＤＣＩ割当領域候補を選択する。そして、割当部１０８は、共通チャネル向け割当制御情報を含むＤＣＩを、選択したＤＣＩ割当領域候補内のＣＣＥ（または、Ｒ−ＣＣＥ。以下、ＣＣＥとＲ−ＣＣＥを区別せず、単にＣＣＥと呼ぶことがある）に割り当てる。ここで、前述したようにＣＣＥはＰＤＣＣＨを構成するリソース単位であり、Ｒ−ＣＣＥはＲ−ＰＤＣＣＨを構成するリソース単位である。
【００６３】
また、割当部１０８は、割当対象端末向けのＤＣＩフォーマットが送信モード依存のＤＣＩフォーマット（例えば、ＤＣＩ  １，１Ｂ，１Ｄ，２，２Ａ，０Ａ，０Ｂ）である場合には、その割当対象端末に対して設定されたＵＥ−ＳＳ内のＣＣＥをＤＣＩに対して割り当てる。一方、割当部１０８は、割当対象端末向けのＤＣＩフォーマットが全端末共通のフォーマット（例えば、ＤＣＩ  ０／１Ａ）である場合には、Ｃ−ＳＳ内のＣＣＥ、又は、その割当対象端末に対して設定されたＵＥ−ＳＳ内のＣＣＥをＤＣＩに対して割り当てる。
【００６４】
ここで、１つのＤＣＩに割り当てられるＣＣＥの連結数は、符号化率及びＤＣＩのビット数（つまり、割当制御情報の情報量）によって異なる。例えば、セル境界付近に位置する端末宛てのＰＤＣＣＨ信号の符号化率は低く設定されるので、より多くの物理リソースが必要である。従って、割当部１０８は、セル境界付近に位置する端末宛てのＤＣＩに対して、より多くのＣＣＥを割り当てる。
【００６５】
そして、割当部１０８は、ＤＣＩに割当てたＣＣＥに関する情報を多重部１０９及びＡＣＫ／ＮＡＣＫ受信部１２０に出力する。また、割当部１０８は、符号化・変調後のＤＣＩを多重部１０９に出力する。
【００６６】
符号化・変調部１０６は、設定部１０１から入力される設定情報、及び、サーチスペース設定部１０３から入力されるサーチスペース情報（つまり、上位レイヤの制御情報）をチャネル符号化後に変調して、変調後の設定情報及びサーチスペース情報を多重部１０９に出力する。
【００６７】
符号化・変調部１０７は、入力される送信データ（下り回線データ）をチャネル符号化後に変調して、変調後の送信データ信号を多重部１０９に出力する。
【００６８】
多重部１０９は、割当部１０８から受け取る符号化・変調後のＤＣＩ信号、符号化・変調部１０６から受け取る変調後の設定情報及びサーチスペース情報（すなわち、上位レイヤの制御情報）、並びに、符号化・変調部１０７から受け取るデータ信号（つまり、ＰＤＳＣＨ信号）を、時間軸上及び周波数軸上で多重する。
【００６９】
ここで、多重部１０９は、復調用の参照信号としてＤＭ−ＲＳを使用する端末向けのＲ−ＰＤＣＣＨ領域でのＤＣＩ、又はＰＤＳＣＨ信号等に対して、ウェイトを乗算し、アンテナ毎のＩＦＦＴ（Inverse Fast Fourier Transform）部１１０に出力する。また、多重部１０９は、送信ウェイトが設定されない信号（つまり、ＰＤＣＣＨ領域でのＤＣＩ等）については、ＳＦＢＣ（Spatial frequency block coding）処理を行い、アンテナ毎のＩＦＦＴ（Inverse Fast Fourier Transform）部１１０に出力する。また、多重部１０９は、制御部１０２から受け取る下りリソース割当情報に基づいて、ＰＤＣＣＨ信号及びデータ信号（ＰＤＳＣＨ信号）をマッピングする。なお、多重部１０９は、設定情報及びサーチスペース情報をＰＤＳＣＨにマッピングしても良い。
【００７０】
ＩＦＦＴ部１１０は、多重部１０９から受け取るアンテナ毎の多重信号を時間波形に変換し、ＣＰ付加部１１１は、この時間波形にＣＰを付加することによりＯＦＤＭ信号を得る。
【００７１】
送信ＲＦ部１１２は、ＣＰ付加部１１１から受け取るＯＦＤＭ信号に対して送信無線処理（アップコンバート、ディジタルアナログ（Ｄ／Ａ）変換など）を施し、アンテナ１１３を介して送信する。
【００７２】
一方、受信ＲＦ部１１４は、アンテナ１１３を介して受信帯域で受信した受信無線信号に対して受信無線処理（ダウンコンバート、アナログディジタル（Ａ／Ｄ）変換など）を施し、得られた受信信号をＣＰ除去部１１５に出力する。
【００７３】
ＣＰ除去部１１５は、受信信号からＣＰを除去し、ＦＦＴ（Fast Fourier Transform）部１１６は、ＣＰ除去後の受信信号を周波数領域信号に変換する。
【００７４】
抽出部１１７は、制御部１０２から受け取る上りリソース割当情報に基づいて、ＦＦＴ部１１６から受け取る周波数領域信号から上り回線データを抽出し、ＩＤＦＴ部１１８は、抽出信号を時間領域信号に変換し、その時間領域信号をデータ受信部１１９およびＡＣＫ／ＮＡＣＫ受信部１２０に出力する。
【００７５】
データ受信部１１９は、ＩＤＦＴ部１１８から入力される時間領域信号を復号する。そして、データ受信部１１９は、復号後の上り回線データを受信データとして出力する。
【００７６】
ＡＣＫ／ＮＡＣＫ受信部１２０は、ＩＤＦＴ部１１８から受け取る時間領域信号のうち、下り回線データ（ＰＤＳＣＨ信号）に対する各端末からのＡＣＫ／ＮＡＣＫ信号を抽出する。具体的には、ＡＣＫ／ＮＡＣＫ受信部１２０は、そのＡＣＫ／ＮＡＣＫ信号を、割当部１０８から受け取る情報に基づいて、上り回線制御チャネル（例えば、ＰＵＣＣＨ（Physical Uplink Control Channel））から抽出する。また、その上り回線制御チャネルは、その下り回線データに対応する下り割当制御情報の送信に用いられたＣＣＥに対応付けられた上り回線制御チャネルである。
【００７７】
そして、ＡＣＫ／ＮＡＣＫ受信部１２０は、抽出したＡＣＫ／ＮＡＣＫ信号のＡＣＫ／ＮＡＣＫ判定を行う。
【００７８】
なお、ここでは、ＣＣＥとＰＵＣＣＨとが対応付けられているのは、端末がＡＣＫ／ＮＡＣＫ信号の送信に用いるＰＵＣＣＨを基地局から各端末へ通知するためのシグナリングを不要にするためである。これにより、下り回線の通信リソースを効率良く使用することができる。従って、各端末は、この対応付けに従って、自端末への下り割当制御情報（ＤＣＩ）がマッピングされているＣＣＥに基づいて、ＡＣＫ／ＮＡＣＫ信号の送信に用いるＰＵＣＣＨを判定している。
【００７９】
［端末２００の構成］
図９は、本発明の実施の形態１に係る端末２００の構成を示すブロック図である。端末２００は、下り回線データを受信し、その下り回線データに対するＡＣＫ／ＮＡＣＫ信号を上り制御チャネルであるＰＵＣＣＨを用いて基地局１００へ送信する。
【００８０】
図９において、端末２００は、アンテナ２０１と、受信ＲＦ部２０２と、ＣＰ除去部２０３と、ＦＦＴ部２０４と、分離部２０５と、設定情報受信部２０６と、ＰＤＣＣＨ受信部２０７と、ＰＤＳＣＨ受信部２０８と、変調部２０９，２１０と、ＤＦＴ部２１１と、マッピング部２１２と、ＩＦＦＴ部２１３と、ＣＰ付加部２１４と、送信ＲＦ部２１５とを有する。
【００８１】
受信ＲＦ部２０２は、設定情報受信部２０６から受け取る帯域情報に基づいて、受信帯域を設定する。受信ＲＦ部２０２は、アンテナ２０１を介して受信帯域で受信した無線信号（ここでは、ＯＦＤＭ信号）に対して受信無線処理（ダウンコンバート、アナログディジタル（Ａ／Ｄ）変換など）を施し、得られた受信信号をＣＰ除去部２０３に出力する。なお、受信信号には、ＰＤＳＣＨ信号、ＤＣＩ、及び、設定情報及びサーチスペース情報を含む上位レイヤの制御情報が含まれている可能性がある。また、端末２００宛てのＤＣＩ（割当制御情報）は、端末２００及び他の端末に対して設定された共通のサーチスペース（Ｃ−ＳＳ）、又は、端末２００に対して設定された個別のサーチスペース（ＵＥ−ＳＳ）に割り当てられている。
【００８２】
ＣＰ除去部２０３は、受信信号からＣＰを除去し、ＦＦＴ部２０４は、ＣＰ除去後の受信信号を周波数領域信号に変換する。この周波数領域信号は、分離部２０５に出力される。
【００８３】
分離部２０５は、ＦＦＴ部２０４から受け取る信号のうち、ＤＣＩを含む可能性のある成分（すなわち、ＰＤＣＣＨ領域及びＲ−ＰＤＣＣＨ領域から抜き出された信号）を、ＰＤＣＣＨ受信部２０７に出力する。また、分離部２０５は設定情報を含む上位レイヤの制御信号（例えば、RRC signaling等）を設定情報受信部２０６に出力し、データ信号（つまり、ＰＤＳＣＨ信号）をＰＤＳＣＨ受信部２０８に出力する。
【００８４】
設定情報受信部２０６は、分離部２０５から入力される上位レイヤの制御信号から、自端末に設定された帯域情報、自端末に設定された端末ＩＤを示す情報、自端末に設定されたサーチスペース情報、自端末に設定された参照信号を示す情報、及び自端末に設定された送信モードを示す情報を読み取る。
【００８５】
そして、自端末に設定された帯域情報はＰＤＣＣＨ受信部２０７、受信ＲＦ部２０２及び送信ＲＦ部２１５に出力される。また、自端末に設定された端末ＩＤを示す情報は、端末ＩＤ情報としてＰＤＣＣＨ受信部２０７に出力される。また、自端末に設定された、ＤＣＩの送信に利用するリソース領域を示す情報は、サーチスペース領域情報としてＰＤＣＣＨ受信部２０７に出力される。また、自端末に設定された参照信号を示す情報は、参照信号情報としてＰＤＣＣＨ受信部２０７に出力される。また、自端末に設定された送信モードを示す情報は、送信モード情報としてＰＤＣＣＨ受信部２０７に出力される。
【００８６】
ＰＤＣＣＨ受信部２０７は、分離部２０５から入力される信号をブラインド復号（モニタ）して、自端末宛てのＤＣＩを得る。ここで、ＰＤＣＣＨ受信部２０７は、全端末共通のデータ割当向けのＤＣＩフォーマット（例えば、ＤＣＩ  ０／１Ａ）、自端末に設定された送信モード依存のＤＣＩフォーマット（例えば、ＤＣＩ  １，１Ｂ，１Ｄ，２，２Ａ，０Ａ，０Ｂ）及び全端末共通の共通チャネル割当向けのＤＣＩフォーマット（例えば、ＤＣＩ  １Ｃ，１Ａ）のそれぞれに対して、ブラインド復号する。これにより、各ＤＣＩフォーマットの割当制御情報を含むＤＣＩが得られる。
【００８７】
具体的には、ＰＤＣＣＨ受信部２０７は、設定情報受信部２０６から受け取るサーチスペース領域情報の示す領域がＰＤＣＣＨ領域である場合には、そのサーチスペース領域情報に示されるＣ−ＳＳに対して、共通チャネル割当向けのＤＣＩフォーマット（ＤＣＩ  １Ｃ，１Ａ）及び全端末共通のデータ割当向けＤＣＩフォーマット（ＤＣＩ  ０／１Ａ）のブラインド復号を行う。すなわち、ＰＤＣＣＨ受信部２０７は、Ｃ−ＳＳ内の各ブラインド復号領域候補（つまり、端末２００に割り当てられるＣＣＥ領域の候補）について、共通チャネル割当向けのＤＣＩフォーマットのサイズ、及び、全端末共通のデータ割当向けのＤＣＩフォーマットのサイズを対象として、復調及び復号する。そして、ＰＤＣＣＨ受信部２０７は、復号後の信号に対して、複数の端末の間で共通のＩＤによってＣＲＣビットをデマスキングする。そして、ＰＤＣＣＨ受信部２０７は、デマスキングの結果、ＣＲＣ＝ＯＫ（誤り無し）となった信号を、共通チャネル向けの割当制御情報が含まれるＤＣＩであると判定する。また、ＰＤＣＣＨ受信部２０７は、復号後の信号に対して、端末ＩＤ情報が示す自端末の端末ＩＤによってＣＲＣビットをデマスキングする。そして、ＰＤＣＣＨ受信部２０７は、デマスキングの結果、ＣＲＣ＝ＯＫ（誤り無し）となった信号を、自端末向けの割当制御情報が含まれるＤＣＩであると判定する。すなわち、ＰＤＣＣＨ受信部２０７は、Ｃ−ＳＳでは、ＤＣＩ  ０／１Ａの割当制御情報が共通チャネル向けであるか又は自端末向けのデータ割当向けであるかを、端末ＩＤ（複数の端末の間で共通のＩＤ、又は、端末２００の端末ＩＤ）によって区別する。
【００８８】
また、ＰＤＣＣＨ受信部２０７は、設定情報受信部２０６から入力される端末ＩＤ情報に示される自端末の端末ＩＤを用いて、自端末のＵＥ−ＳＳを、各ＣＣＥ連結数に対してそれぞれ算出する。そして、ＰＤＣＣＨ受信部２０７は、算出したＵＥ−ＳＳ内の各ブラインド復号領域候補（各ＣＣＥ連結数のＣＣＥ候補）について、自端末に設定された送信モード（送信モード情報に示される送信モード）に対応したＤＣＩフォーマットのサイズ及び全端末共通のＤＣＩフォーマット（ＤＣＩ  ０／１Ａ）のサイズを対象として、復調及び復号する。そして、ＰＤＣＣＨ受信部２０７は、復号後の信号に対して、自端末の端末ＩＤでＣＲＣビットをデマスキングする。そして、ＰＤＣＣＨ受信部２０７は、デマスキングの結果、ＣＲＣ＝ＯＫ（誤り無し）となった信号を、自端末宛てのＤＣＩであると判定する。
【００８９】
一方、ＰＤＣＣＨ受信部２０７は、設定情報受信部２０６から入力されるサーチスペース領域情報に示されるサーチスペース領域としてＲ−ＰＤＣＣＨ領域も含まれる場合にも、上述したＰＤＣＣＨ領域と同様にして、ＰＤＣＣＨ領域及びＲ−ＰＤＣＣＨ領域に設定されたサーチスペースをブラインド復号（モニタ）して、ＰＤＣＣＨ及びＲ−ＰＤＣＣＨを用いて送信される自端末宛てのＤＣＩを得る。
【００９０】
ここで、ＤＣＩがＲ−ＰＤＣＣＨを介して送信されていた場合（つまり、Ｒ−ＰＤＣＣＨ領域においてＣＲＣ＝ＯＫとなったＤＣＩが存在する場合）には、ＰＤＣＣＨ受信部２０７は、そのＤＣＩにおけるＶｉｒｔｕａｌ ＣＲＣ対応部分のビットパターンと、既知ビット系列（判定基準ビット列）のビットパターンとが同一であるかどうかを確認する。そして、同一でない場合には、ＰＤＣＣＨ受信部２０７は、ＤＣＩの誤検出が発生したと判断し、ＣＲＣ＝ＯＫとなったＤＣＩであっても無視する。なお、設定情報受信部２０６から入力されるサーチスペース領域情報がない場合（つまり、基地局１００がサーチスペース情報を送信しない場合）には、端末２００は、サーチスペースを意識せずに、端末２００宛ての可能性がある複数のＤＣＩの送信領域においてブラインド復号を行っても良い。
【００９１】
そして、ＰＤＣＣＨ受信部２０７は、下り割当制御情報を受信した場合には自端末宛てのＤＣＩに含まれる下りリソース割当情報をＰＤＳＣＨ受信部２０８に出力し、上り割当制御情報を受信した場合には上りリソース割当情報をマッピング部２１２に出力する。また、ＰＤＣＣＨ受信部２０７は、自端末宛てのＤＣＩの送信に用いられたＣＣＥ（ＣＲＣ＝ＯＫとなった信号の送信に用いられていたＣＣＥ）のＣＣＥ番号（ＣＣＥ連結数が複数の場合は先頭のＣＣＥのＣＣＥ番号）をマッピング部２１２に出力する。
【００９２】
ＰＤＳＣＨ受信部２０８は、ＰＤＣＣＨ受信部２０７から受け取る下りリソース割当情報に基づいて、分離部２０５から受け取るＰＤＳＣＨ信号から、受信データ（下り回線データ）を抽出する。すなわち、ＰＤＳＣＨ受信部２０８は、複数のＤＣＩ割当領域候補（ブラインド復号領域候補）の内のいずれかに割り当てられた端末２００宛の下りリソース割当情報（割当制御情報）に基づいて、下り回線データ（下りデータ信号）を受信する。また、ＰＤＳＣＨ受信部２０８は、抽出した受信データ（下り回線データ）に対して誤り検出を行う。そして、ＰＤＳＣＨ受信部２０８は、誤り検出の結果、受信データに誤りがある場合には、ＡＣＫ／ＮＡＣＫ信号としてＮＡＣＫ信号を生成し、受信データに誤りが無い場合には、ＡＣＫ／ＮＡＣＫ信号としてＡＣＫ信号を生成する。このＡＣＫ／ＮＡＣＫ信号は、変調部２０９に出力される。
【００９３】
変調部２０９は、ＰＤＳＣＨ受信部２０８から入力されるＡＣＫ／ＮＡＣＫ信号を変調し、変調後のＡＣＫ／ＮＡＣＫ信号をマッピング部２１２に出力する。
【００９４】
変調部２１０は、送信データ（上り回線データ）を変調し、変調後のデータ信号をＤＦＴ部２１１に出力する。
【００９５】
ＤＦＴ部２１１は、変調部２１０から入力されるデータ信号を周波数領域に変換し、得られる複数の周波数成分をマッピング部２１２に出力する。
【００９６】
マッピング部２１２は、ＰＤＣＣＨ受信部２０７から受け取る上りリソース割当情報に従って、ＤＦＴ部２１１から受け取る複数の周波数成分を、ＰＵＳＣＨにマッピングする。また、マッピング部２１２は、ＰＤＣＣＨ受信部２０７から受け取るＣＣＥ番号に従ってＰＵＣＣＨを特定する。そして、マッピング部２１２は、変調部２０９から入力されるＡＣＫ／ＮＡＣＫ信号を、上記特定したＰＵＣＣＨにマッピングする。
【００９７】
ＩＦＦＴ部２１３は、ＰＵＳＣＨにマッピングされた複数の周波数成分を時間領域波形に変換し、ＣＰ付加部２１４は、その時間領域波形にＣＰを付加する。
【００９８】
送信ＲＦ部２１５は、送信帯域を変更可能に構成されている。送信ＲＦ部２１５は、設定情報受信部２０６から受け取る帯域情報に基づいて、送信帯域を設定する。そして、送信ＲＦ部２１５は、ＣＰが付加された信号に送信無線処理（アップコンバート、ディジタルアナログ（Ｄ／Ａ）変換など）を施して、アンテナ２０１を介して送信する。
【００９９】
［基地局１００及び端末２００の動作］
以上の構成を有する基地局１００及び端末２００の動作について説明する。図１０は、基地局１００の動作説明に供するフロー図である。
【０１００】
ステップＳ１０１でＰＤＣＣＨ生成部１０４は、ＤＣＩを生成する。
【０１０１】
ステップＳ１０２でＰＤＣＣＨ生成部１０４は、設定部１０１から受け取る設定情報に基づいて、ＤＣＩの送信にＲ−ＰＤＣＣＨを用いるか否かを判定する。
【０１０２】
Ｒ−ＰＤＣＣＨが用いられる場合（ステップＳ１０２：ＹＥＳ）には、ステップＳ１０３でＰＤＣＣＨ生成部１０４は、生成されたＤＣＩに「Ｖｉｒｔｕａｌ ＣＲＣ」を付加する。ここでは、「既知ビット」が新たに付加される。なお、この「既知ビット」は、端末２００においても保持されており、後述するように、端末２００においてＤＣＩが自端末宛であるか否かの判定に用いられる。
【０１０３】
ステップＳ１０４でＰＤＣＣＨ生成部１０４は、ステップＳ１０３で「Ｖｉｒｔｕａｌ ＣＲＣ」が付加されたＤＣＩの全ビット列から、ＣＲＣビットを算出し、当該ＣＲＣビットをＤＣＩに付加する。なお、ステップＳ１０２でＲ−ＰＤＣＣＨが用いられないと判定された場合（つまり、ＰＤＣＣＨが用いられると判定された場合）には、ＰＤＣＣＨ生成部１０４は、ステップＳ１０１で生成された、「Ｖｉｒｔｕａｌ ＣＲＣ」の付加されていないＤＣＩの全ビット列から、ＣＲＣビットを算出し、当該ＣＲＣビットをＤＣＩに付加する。
【０１０４】
ステップＳ１０５で符号化・変調部１０５は、ＰＤＣＣＨ生成部１０４から受け取るＤＣＩを畳み込み符号化する。
【０１０５】
ステップＳ１０６で符号化・変調部１０５は、ステップＳ１０５で得られた符号語を変調（例えば、ＱＰＳＫ変調）する。
【０１０６】
ステップＳ１０７で割当部１０８及び多重部１０９は、符号化・変調部１０５から受け取るＤＣＩを、ＣＣＥ又はＲ−ＣＣＥにマッピングする。すなわち、ステップＳ１０２でＲ−ＰＤＣＣＨが用いられると判定された場合には、ＤＣＩはＲ−ＣＣＥにマッピングされる一方、Ｒ−ＰＤＣＣＨが用いられないと判定された場合には、ＤＣＩはＣＣＥにマッピングされる。
【０１０７】
なお、ここでは、「Ｖｉｒｔｕａｌ ＣＲＣ」及びＣＲＣビットがＤＣＩに付加される場合に、最初に、「Ｖｉｒｔｕａｌ ＣＲＣ」が付加され、次に、ＣＲＣビットが付加される場合について説明した。しかしながら、これに限定されるものではなく、最初に、ＣＲＣビットが付加され、次に、「Ｖｉｒｔｕａｌ ＣＲＣ」が付加されても良い。すなわち、図１１に示すようなフローによって処理が行われても良い。こうすることにより、端末２００においてＣＲＣチェックの対象となるビット列を構成するビット数が少なくなるため、誤検出する確率を低減できる。一方で、「Ｖｉｒｔｕａｌ ＣＲＣ」を付加してからＣＲＣビットを付加する場合には、端末２００における、PDCCH（R-PDCCH）受信、畳み込み復号、及びＣＲＣチェックを含む一連の処理が、ＬＴＥと同様の処理となるため、端末２００の構成を簡素化することができる。
【０１０８】
このようにしてＲ−ＣＣＥ（又はＣＣＥ）にマッピングされたＤＣＩは、端末２００へ送信される。
【０１０９】
端末２００において、ＰＤＣＣＨ受信部２０７は、設定情報受信部２０６から入力されるサーチスペース領域情報に示されるサーチスペース領域としてＲ−ＰＤＣＣＨ領域も含まれる場合にも、ＰＤＣＣＨ領域と同様にして、ＰＤＣＣＨ領域及びＲ−ＰＤＣＣＨ領域に設定されたサーチスペースをブラインド復号（モニタ）して、ＰＤＣＣＨ及びＲ−ＰＤＣＣＨを用いて送信される自端末宛てのＤＣＩを得る。
【０１１０】
そして、ＤＣＩがＲ−ＰＤＣＣＨを介して送信されていた場合（つまり、Ｒ−ＰＤＣＣＨ領域においてＣＲＣ＝ＯＫとなったＤＣＩが存在する場合）には、ＰＤＣＣＨ受信部２０７は、そのＤＣＩにおけるＶｉｒｔｕａｌ ＣＲＣ対応部分のビットパターンと、既知ビット系列（つまり、判定基準ビット列）のビットパターンとが同一であるかどうかを確認する。そして、同一でない場合には、ＰＤＣＣＨ受信部２０７は、ＤＣＩの誤検出が発生したと判断し、ＣＲＣ＝ＯＫとなったＤＣＩであっても無視する。
【０１１１】
ここで、ＤＣＩの復号結果が正しいにも関わらず、他端末宛のＤＣＩを自端末宛のＤＣＩであると誤検出することは、基地局１００において端末ＩＤによってマスキングされているＣＲＣビットの対応部分のみが、送信された状態と異なった状態で受信されている場合にのみ起こりうる。すなわち、ＣＲＣビットの一部（つまり、その誤検出されたＤＣＩが割当対象端末の端末ＩＤと異なるビット箇所）のみが誤ったものと等価である。
【０１１２】
そして、ＤＣＩの復号結果が正しいにも関わらず、他端末宛のＤＣＩを自端末宛のＤＣＩであると誤検出することは、ＣＲＣビットと同じ長さだけ連続するビット群が誤った場合に発生する。このため、構成ビットの全てが互いに異なる２つの端末ＩＤを、２つの端末に割り当てない限り、この種の誤検出は生じない。
【０１１３】
一方で、ＤＣＩの復号結果にランダム誤りが発生する場合（つまり、他端末向けも含めて実際にはＤＣＩがマッピングされていないリソースに対してブラインド復号を行った場合）には、ランダムなビット列がＣＲＣ長だけ連続して誤る確率で、誤検出が生じる。すなわち、式（１）で表される確率で、誤検出が生じる。
【数１】
2012029244.tif 000003
式（１）において、Ｋは、ＣＲＣ長であり、Ｍは、ブラインド復号回数である。
【０１１４】
また、Ｒ−ＰＤＣＣＨ領域はデータ送信に用いることができる。このため、送信対象である制御チャネルの数が少ない場合には、Ｒ−ＰＤＣＣＨ領域が用いられずに、ＰＤＣＣＨ領域のみが用いられることが多い。すなわち、ＰＤＣＣＨ領域では、他端末宛のＤＣＩも含めて、ＤＣＩが実際に送信されていることが多い。
【０１１５】
このため、ＰＤＣＣＨ領域では、ＤＣＩの畳み込み復号結果が正しくなる確率が高いので、上述の通り、誤検出の確率は低くなる。
【０１１６】
一方、Ｒ−ＰＤＣＣＨ領域ではＤＣＩではなくデータ信号が送信されることがあるので、ＤＣＩの畳み込み復号結果が誤る確率が高くなり、結果として、誤検出の確率も高くなる。
【０１１７】
なお、ＰＤＣＣＨ領域でも、ブラインド復号対象とするＤＣＩフォーマットと異なるＤＣＩフォーマットがマッピングされている場合には、畳み込み復号結果が正しくならない。しかしながら、同一セル内では通信環境が似た端末向けに同じＤＣＩフォーマットが用いられることが多いので、このようなケースを考慮したとしても、ＰＤＣＣＨ領域で誤検出が生じる可能性は低い。
【０１１８】
図１２は、ＰＤＣＣＨ領域及びＲ−ＰＤＣＣＨ領域のそれぞれで送信される情報の確率分布を示す図である。図１２Ａに示されるように、ＰＤＣＣＨ領域では、同一ＤＣＩフォーマットが送信される場合、異なるＤＣＩフォーマットが送信される場合、及び、信号がない場合の３つのケースがある。これに対して、図１２Ｂにしめされるように、Ｒ−ＰＤＣＣＨ領域では、これら３つのケースに加えて、データが送信されるケースがある。ＰＤＣＣＨ領域又はＲ−ＰＤＣＣＨ領域で誤検出が生じる確率は、各ケースについて、そのケース自体が生じる確率と、そのケースで誤検出が生じる確率とを掛け合わせた乗算結果を、全てのケースについて総和をとることにより、算出される。従って、図１２に示すように、Ｒ−ＰＤＣＣＨ領域では、誤検出の生じる確率が、ＰＤＣＣＨ領域よりも高くなる。
【０１１９】
以上のように本実施の形態によれば、基地局１００において、ＰＤＣＣＨ生成部１０４が、端末２００の識別情報によってマスキング又はスクランブリングされた巡回冗長検査（ＣＲＣ）ビットと、端末２００との間で互いに既知のビット列（つまり、Ｖｉｒｔｕａｌ ＣＲＣ）との両方を含む下り割当制御情報ユニット（つまり、ＤＣＩ）を形成し、割当部１０８及び多重部１０９が、形成されたＤＣＩを、下り制御チャネル領域及び下りデータチャネル領域のいずれにも利用可能なリソース領域（つまり、Ｒ−ＰＤＣＣＨ領域）にマッピングする。すなわち、ＰＤＣＣＨ生成部１０４は、端末２００宛のＤＣＩをＲ−ＰＤＣＣＨ領域にマッピングする場合にのみ、ＤＣＩにＶｉｒｔｕａｌ ＣＲＣを含める。
【０１２０】
こうすることで、端末２００が自局の端末ＩＤでデマスキング又はデスクランブリングしたＣＲＣビットのチェック結果の他に、Ｖｉｒｔｕａｌ ＣＲＣに基づいて、ＤＣＩが自局宛であるか否かを判定することができるので、制御情報の誤検出を低減することができる。この結果として、システムスループットの低下を防止できる。
【０１２１】
また、端末２００において、分離部２０５が、下り制御チャネル領域及び下りデータチャネル領域のいずれにも利用可能なリソース領域（つまり、Ｒ−ＰＤＣＣＨ領域）で、宛先端末の識別情報によってマスキング又はスクランブリングされた巡回冗長検査（ＣＲＣ）ビットと、所定のビット列との両方を含む下り割当制御情報ユニット（つまり、ＤＣＩ）を受信し、ＰＤＣＣＨ受信部２０７が、所定のビット列（つまり、Ｖｉｒｔｕａｌ ＣＲＣ）と、自局で保持している判定基準ビット列とが一致する場合にのみ、受信ＤＣＩが自局宛であると判定する。
【０１２２】
こうすることで、自局の端末ＩＤでデマスキング又はデスクランブリングしたＣＲＣビットのチェック結果が正しいことを示している場合でも、受信ＤＣＩに含められている所定のビット列と、判定基準ビット列とが一致しない場合には、その受信ＤＣＩを無視することができる。すなわち、端末２００は、受信ＤＣＩが自局宛のものであるか否かの判定基準として、ＣＲＣビットのチェック結果の他に、Ｖｉｒｔｕａｌ ＣＲＣを利用することができる。この結果、制御情報の誤検出を低減することができるので、システムスループットの低下を防止できる。なお、ＰＤＣＣＨに比べて誤検出の発生確率が高いＲ−ＰＤＣＣＨにおける誤り検出性能を向上できるので、システム全体におけるFalse alarmの発生確率を効率良く低減することができる。
【０１２３】
ここで、本実施の形態では、Ｒ−ＰＤＣＣＨ領域で送信されるＤＣＩに対して、ＰＤＣＣＨ領域で送信されるＤＣＩには含まれない既知ビット列（つまり、Ｖｉｒｔｕａｌ ＣＲＣ）を付加することを前提としているので、ＤＣＩの符号化率は高くなる。しかし、Ｒ−ＰＤＣＣＨ領域にはＲＢリソースが用いられるため、Ｒ−ＰＤＣＣＨ領域で送信されるＤＣＩは、隣接セル間での干渉制御が施されるか、又は、ビームフォーミング送信を行うことができる。これにより、Ｒ−ＰＤＣＣＨ領域で送信されるＤＣＩは、高い受信品質(受信ＳＩＲ)で受信されることになるので、ＤＣＩの誤り率の劣化量を抑えることができる。
【０１２４】
なお、既知ビット列（つまり、Ｖｉｒｔｕａｌ ＣＲＣ）の構成ビット数は、予め決められた固定の数でも良いし、基地局１００が予め端末２００に対して通知（又は報知）した数であっても良い。後者の場合には、構成ビット数を適切に選択することにより、セル環境(端末数の多い環境、少ない環境等)又は運用形態によって必要十分なＤＣＩ誤検出率に設定することができる。
【０１２５】
［実施の形態２］
実施の形態２では、既知ビット列（つまり、Ｖｉｒｔｕａｌ ＣＲＣ）として、下りデータチャネル領域として割り当てるリソースブロック（ＲＢ）を端末へ通知するためのＲＢ割当ビット列の一部が用いられる。実施の形態２に係る基地局及び端末の基本構成は、実施の形態１と共通するので、図７、９を援用して説明する。
【０１２６】
実施の形態２の基地局１００において、送信領域設定部１３１は、端末２００に対して下りデータチャネル領域として割り当てる候補となる候補ＲＢ群（つまり、リソースブロック領域）を設定する。
【０１２７】
具体的には、送信領域設定部１３１は、図１３に示すように、ＲＢ群全体の内、一部を端末２００に対する候補ＲＢ群（図中では、有効ＲＢ）として設定する一方、その他のＲＢを端末２００に対するＤＣＩをマッピングしないＲＢ群（図中では、無効ＲＢ）として設定する。
【０１２８】
こうして設定された端末２００に対する有効ＲＢに関する情報は、設定情報に含められて端末２００へ送信される。
【０１２９】
制御部１０２は、Ｒ−ＰＤＣＣＨ領域によってＤＣＩを送信する端末２００に対して、下りデータチャネル領域として実際に用いる使用ＲＢを、候補ＲＢ群の中から選択する。この選択された使用ＲＢに関する情報は、リソース割当情報として割当制御情報に含められる。ここで、端末２００に対する候補ＲＢ群を、ＲＢ群全体の内の一部に固定することにより、ＲＢ割当ビット列の一部が固定のビット列となるか、あるいは、取りうるビット組み合わせが限定される。本実施の形態では、この固定のビット列、または限定されたビット組み合わせをＶｉｒｔｕａｌ ＣＲＣとして用いる。
【０１３０】
そして、ＰＤＣＣＨ生成部１０４は、端末２００向けのＤＣＩの送信にＲ−ＰＤＣＣＨが用いられる場合（つまり、端末２００向けのＤＣＩに割当部１０８でＲ−ＣＣＥが割り当てられる場合）には、「Ｖｉｒｔｕａｌ ＣＲＣ」を含むＤＣＩを生成する。
【０１３１】
実施の形態２の端末２００において、設定情報受信部２０６は、基地局１００から送信された設定情報に含まれる有効ＲＢに関する情報を読み取り、ＰＤＣＣＨ受信部２０７へ出力する。この有効ＲＢに関する情報を示すビット列の一部が、判定基準ビット列として用いられる。
【０１３２】
ＰＤＣＣＨ受信部２０７は、ＤＣＩがＲ−ＰＤＣＣＨを介して送信されていた場合（つまり、Ｒ−ＰＤＣＣＨ領域においてＣＲＣ＝ＯＫとなったＤＣＩが存在する場合）には、そのＤＣＩにおけるＶｉｒｔｕａｌ ＣＲＣ対応部分のビットパターンと、既知ビット系列（つまり、判定基準ビット列）のビットパターンとが同一であるかどうかを確認する。そして、同一でない場合には、ＰＤＣＣＨ受信部２０７は、ＤＣＩの誤検出が発生したと判断し、ＣＲＣ＝ＯＫとなったＤＣＩであっても無視する。すなわち、ＰＤＣＣＨ受信部２０７は、Ｒ−ＰＤＣＣＨ領域におけるブラインド復号によって検出されたＤＣＩに対しては、ＲＢ割当情報が示すＲＢが有効ＲＢに属していれば、そのＤＣＩは有効であると判定して、ＰＤＳＣＨ受信部２０８へ出力する。一方、ＲＢ割当情報が示すＲＢが有効ＲＢに属していなければ、ＰＤＣＣＨ受信部２０７は、そのＤＣＩを無効であると判定し、無視する。
【０１３３】
以上のように本実施の形態によれば、基地局１００において、ＰＤＣＣＨ生成部１０４が、端末２００の識別情報によってマスキング又はスクランブリングされた巡回冗長検査（ＣＲＣ）ビットと、端末２００との間で互いに既知のビット列（つまり、Ｖｉｒｔｕａｌ ＣＲＣ）との両方を含む下り割当制御情報ユニット（つまり、ＤＣＩ）を形成し、割当部１０８及び多重部１０９が、形成されたＤＣＩを、下り制御チャネル領域及び下りデータチャネル領域のいずれにも利用可能なリソース領域（つまり、Ｒ−ＰＤＣＣＨ領域）にマッピングする。
【０１３４】
そして、既知ビット列（つまり、Ｖｉｒｔｕａｌ ＣＲＣ）としては、端末２００に対して、下りデータチャネル領域として割り当てるリソースブロック（ＲＢ）を通知するためのＲＢ割当ビット列の一部が用いられる。
【０１３５】
こうすることで、実施の形態１と同様の効果が得られる。さらに、ＰＤＣＣＨ領域で送信されるＤＣＩにも含まれているＲＢ割当ビット列の一部（つまり、ＤＣＩ内の既存のＲＢ割当フィールドの一部）をＶｉｒｔｕａｌ ＣＲＣとして用いることができるので、ＤＣＩのビット数を増やすことがない。
【０１３６】
また、端末２００において、分離部２０５が、下り制御チャネル領域及び下りデータチャネル領域のいずれにも利用可能なリソース領域（つまり、Ｒ−ＰＤＣＣＨ領域）で、宛先端末の識別情報によってマスキング又はスクランブリングされた巡回冗長検査（ＣＲＣ）ビットと、所定のビット列との両方を含む下り割当制御情報ユニット（つまり、ＤＣＩ）を受信し、ＰＤＣＣＨ受信部２０７が、所定のビット列（つまり、Ｖｉｒｔｕａｌ ＣＲＣ）と、自局で保持している判定基準ビット列とが一致する場合にのみ、受信ＤＣＩが自局宛であると判定する。
【０１３７】
そして、判定基準ビット列としては、端末２００に対して、下りデータチャネル領域として割り当てるリソースブロック（ＲＢ）を通知するためのＲＢ割当ビット列の一部が用いられる。
【０１３８】
なお、基地局１００は、干渉の影響が小さいＲＢを有効ＲＢに設定し、当該有効ＲＢに、セル境界付近に存在する端末を割り当てることにより、実質的なＲＢ割当の自由度の低下を抑えつつ、誤検出の発生確率を低減することができる。すなわち、ヘテロジニアスネットワークにおいては、ＤＣＩの送信にＲ−ＰＤＣＣＨを用いることが、マクロ基地局と、フェムト／ピコ基地局との間の干渉を制御することに有効である。この干渉制御は、マクロ基地局とフェムト／ピコ基地局とによって、互いに異なる特定ＲＢの送信電力が下げられることによって、行われる。ここで、Ｒ−ＰＤＣＣＨはＲＢに配置されるので、Ｒ−ＰＤＣＣＨとして用いた分だけ、データを送信できるＲＢの数が減ってしまう。そこで、セル間干渉の少ないセル中心部の端末には、ＰＤＣＣＨを用いる一方、セル間干渉の多いセル境界付近の端末には、Ｒ−ＰＤＣＣＨを用いることにより、ＰＤＣＣＨリソースを有効利用できる。このような運用においては、Ｒ−ＰＤＣＣＨを用いる必要のあるセル境界付近の端末がデータ（PDSCH）についても干渉の低いＲＢで送信することにより、スループットを向上できる。
【０１３９】
また、有効ＲＢと、Ｒ−ＰＤＣＣＨ領域でＤＣＩが送信される場合の、端末２００のブラインド復号対象ＲＢとを一致させても良い。この場合、基地局１００の設定部１０１は、Ｒ−ＰＤＣＣＨ領域でＤＣＩが送信される場合の、端末２００のブラインド復号対象ＲＢを通知するだけでよいので、制御情報量を低減できる。ヘテロジニアスネットワークにおいては、Ｒ−ＰＤＣＣＨ領域でＤＣＩが送信される場合には、干渉の低いＲＢがＲ−ＰＤＣＣＨ領域として割り当てられるので、そのＲＢにデータ割当対象を限定しても、データ割当の自由度が損なわれることがない。
【０１４０】
また、有効ＲＢと、端末２００が他セル品質測定（ハンドオーバー等のための他セル信号の受信品質測定）の対象外とするＲＢ領域とを一致させても良い。この場合、基地局１００の設定部１０１は、他セル品質測定対象（または対象外）のＲＢ領域を通知するだけで良いので、制御情報量を低減できる。ハンドオーバーのためには、他セルで送信電力を下げずに送信しているＲＢ領域に関して品質測定が行えれば良いので、送信電力を下げて送信しているＲＢ領域での品質測定結果によっては正しいハンドオーバー先セルを選択することができなくなる。そこで、他セルで送信電力を下げて送信しているＲＢ領域（つまり、品質測定対象外のＲＢ領域）と、有効ＲＢ（つまり、干渉の小さいＲＢ領域）とを一致させるようにしても、データ割当の自由度が損なわれることがない。
【０１４１】
［実施の形態３］
実施の形態３では、既知ビット列（つまり、Ｖｉｒｔｕａｌ ＣＲＣ）として、変調方式及び符号化方式を通知するための通知ビット列の一部が用いられる。実施の形態３に係る基地局及び端末の基本構成は、実施の形態１と共通するので、図７、９を援用して説明する。
【０１４２】
設定部１０１は、端末２００に対して下りデータに適用される変調方式及び符号化方式（ＭＣＳ）の候補となる候補ＭＣＳ群（つまり、有効ＭＣＳ）を設定する。
【０１４３】
具体的には、ＬＴＥでは、ＭＣＳ群として、２９種類だけ用意されている。そこで、設定部１０１は、ＭＣＳ群全体の内、一部を端末２００に対する候補ＭＣＳ群（つまり、有効ＭＣＳ）として設定し、その他のＭＣＳを端末２００へ送信される下りデータには適用されないＭＣＳ群（つまり、無効ＭＣＳ）として設定する。例えば、設定部１０１は、変調方式の次数がＱＰＳＫ以下となるＭＣＳのみを有効ＭＣＳとして設定する。この有効ＭＣＳと無効ＭＣＳとの境界となる閾値は、予め決められたものであっても良い。
【０１４４】
こうして設定された端末２００に対する有効ＭＣＳに関する情報は、設定情報に含められて端末２００へ送信される。
【０１４５】
制御部１０２は、Ｒ−ＰＤＣＣＨ領域によってＤＣＩを送信する端末２００に対して、下りデータに対して実際に使用する使用ＭＣＳを、候補ＭＣＳ群の中から選択する。この選択された使用ＭＣＳに関する情報は、ＭＣＳ情報として割当制御情報に含められる。ここで、端末２００に対する候補ＭＣＳ群を、ＭＣＳ群全体の内の一部に固定することにより、ＭＣＳ通知ビット列の一部が固定のビット列となる。本実施の形態では、この固定のビット列をＶｉｒｔｕａｌ ＣＲＣとして用いる。
【０１４６】
そして、ＰＤＣＣＨ生成部１０４は、端末２００向けのＤＣＩの送信にＲ−ＰＤＣＣＨが用いられる場合（つまり、端末２００向けのＤＣＩに割当部１０８でＲ−ＣＣＥが割り当てられる場合）には、「Ｖｉｒｔｕａｌ ＣＲＣ」を含むＤＣＩを生成する。
【０１４７】
実施の形態３の端末２００において、設定情報受信部２０６は、基地局１００から送信された設定情報に含まれる有効ＭＣＳに関する情報を読み取り、ＰＤＣＣＨ受信部２０７へ出力する。この有効ＭＣＳに関する情報を示すビット列の一部が、判定基準ビット列として用いられる。
【０１４８】
ＰＤＣＣＨ受信部２０７は、ＤＣＩがＲ−ＰＤＣＣＨを介して送信されていた場合（つまり、Ｒ−ＰＤＣＣＨ領域においてＣＲＣ＝ＯＫとなったＤＣＩが存在する場合）には、そのＤＣＩにおけるＶｉｒｔｕａｌ ＣＲＣ対応部分のビットパターンと、既知ビット系列（つまり、判定基準ビット列）のビットパターンとが同一であるかどうかを確認する。そして、同一でない場合には、ＰＤＣＣＨ受信部２０７は、ＤＣＩの誤検出が発生したと判断し、ＣＲＣ＝ＯＫとなったＤＣＩであっても無視する。すなわち、ＰＤＣＣＨ受信部２０７は、Ｒ−ＰＤＣＣＨ領域におけるブラインド復号によって検出されたＤＣＩに対しては、ＭＣＳ情報が示すＭＣＳが有効ＭＣＳに属していれば、そのＤＣＩは有効であると判定して、ＰＤＳＣＨ受信部２０８へ出力する。一方、ＭＣＳ情報が示すＭＣＳが有効ＭＣＳに属していなければ、ＰＤＣＣＨ受信部２０７は、そのＤＣＩを無効であると判定し、無視する。
【０１４９】
以上のように本実施の形態によれば、基地局１００において、ＰＤＣＣＨ生成部１０４が、端末２００の識別情報によってマスキング又はスクランブリングされた巡回冗長検査（ＣＲＣ）ビットと、端末２００との間で互いに既知のビット列（つまり、Ｖｉｒｔｕａｌ ＣＲＣ）との両方を含む下り割当制御情報ユニット（つまり、ＤＣＩ）を形成し、割当部１０８及び多重部１０９が、形成されたＤＣＩを、下り制御チャネル領域及び下りデータチャネル領域のいずれにも利用可能なリソース領域（つまり、Ｒ−ＰＤＣＣＨ領域）にマッピングする。
【０１５０】
そして、既知ビット列（つまり、Ｖｉｒｔｕａｌ ＣＲＣ）としては、端末２００に対して、変調方式及び符号化方式を通知するためのＭＣＳ通知ビット列の一部が用いられる。
【０１５１】
こうすることで、実施の形態１と同様の効果が得られる。さらに、ＰＤＣＣＨ領域で送信されるＤＣＩにも含まれているＭＣＳ通知ビット列の一部（つまり、ＤＣＩ内の既存のＭＣＳフィールドの一部）をＶｉｒｔｕａｌ ＣＲＣとして用いることができるので、ＤＣＩのビット数を増やすことがない。
【０１５２】
また、端末２００において、分離部２０５が、下り制御チャネル領域及び下りデータチャネル領域のいずれにも利用可能なリソース領域（つまり、Ｒ−ＰＤＣＣＨ領域）で、宛先端末の識別情報によってマスキング又はスクランブリングされた巡回冗長検査（ＣＲＣ）ビットと、所定のビット列との両方を含む下り割当制御情報ユニット（つまり、ＤＣＩ）を受信し、ＰＤＣＣＨ受信部２０７が、所定のビット列（つまり、Ｖｉｒｔｕａｌ ＣＲＣ）と、自局で保持している判定基準ビット列とが一致する場合にのみ、受信ＤＣＩが自局宛であると判定する。
【０１５３】
そして、判定基準ビット列としては、端末２００に対して、下変調方式及び符号化方式を通知するためのＭＣＳ通知ビット列の一部が用いられる。
【０１５４】
なお、上述したように、ヘテロジニアスネットワークにおいては、Ｒ−ＰＤＣＣＨを使う端末は、Ｒ−ＰＤＣＣＨに対して干渉制御が必要なセル境界付近の端末であることが多い。干渉制御によってデータの受信品質も改善されるが、それでもセル境界付近の端末が、セル中心部の端末のように高いＭＣＳレベル（16QAM、64QAMなど）を用いることはまれである。すなわち、本実施の形態のような有効ＲＢを限定しても、使用頻度の少ないＭＣＳレベルが使用できなくなるだけなので、これによるスループット劣化はほとんどない。
【０１５５】
［実施の形態４］
実施の形態４では、Ｒ−ＰＤＣＣＨで送信されるＤＣＩは、同一セル内で同一サイズとする。
【０１５６】
図１４は、本発明の実施の形態４に係る基地局３００の構成を示すブロック図である。図１４において、基地局３００は、設定部３０１と、ＰＤＣＣＨ生成部３０４とを有する。
【０１５７】
設定部３０１は、ＤＣＩをＲ−ＰＤＣＣＨ領域で送信する場合のＤＣＩサイズ（つまり、構成ビット数）を設定する。この設定ＤＣＩサイズに関する情報は、設定情報に含められて端末２００へ送信される。ここで、同一セル内に存在する全端末に対して、同一のＤＣＩサイズが設定される。また、ＤＣＩサイズは、各端末４００に設定されるＤＣＩフォーマットのサイズよりも大きく設定される。なお、設定情報は、端末個別に（つまり、RRCシグナリングによって）通知されても良いし、ＢＣＨによって報知されも良い。
【０１５８】
ＰＤＣＣＨ生成部３０４は、Ｒ−ＰＤＣＣＨ領域で送信されるＤＣＩに対して、そのＤＣＩが上記設定ＤＣＩサイズになるまで、パディングビットを付加する。このパディングビットとしては、全てビットゼロであっても良いし、他の既知ビットであっても良い。
【０１５９】
図１５は、本発明の実施の形態４に係る端末４００の構成を示すブロック図である。図１５において、端末４００は、設定情報受信部４０６と、ＰＤＣＣＨ受信部４０７とを有する。
【０１６０】
設定情報受信部４０６は、基地局３００から送信された設定情報に含まれる設定ＤＣＩサイズに関する情報を読み取り、ＰＤＣＣＨ受信部４０７へ出力する。
【０１６１】
ＰＤＣＣＨ受信部４０７は、Ｒ−ＰＤＣＣＨ領域をブラインド復号対象とする場合には、設定情報受信部４０６から受け取る設定ＤＣＩサイズを復号単位としてブラインド復号を行う。因みに、ＰＤＣＣＨ領域をブラインド復号する際には、ＰＤＣＣＨ受信部４０７は、設定された２つのＤＣＩフォーマット（例えば、ＤＣＩ  ０／１Ａ及びＤＣＩ  １）のサイズのそれぞれを復号単位としてブラインド復号を行う。
【０１６２】
以上のように本実施の形態によれば、設定部３０１が、ＤＣＩをＲ−ＰＤＣＣＨ領域で送信する場合のＤＣＩサイズ（つまり、構成ビット数）を、同一セル内に存在する全端末に対して同一サイズに設定し、ＰＤＣＣＨ生成部３０４が、Ｒ−ＰＤＣＣＨ領域で送信されるＤＣＩに対して、そのＤＣＩが設定ＤＣＩサイズになるまで、パディングビットを付加する。
【０１６３】
こうすることで、Ｒ−ＰＤＣＣＨ領域で送信されるＤＣＩのサイズが全端末で共通となるので、Ｒ−ＰＤＣＣＨ領域で他端末宛のＤＣＩが送信されている場合でも、そのＤＣＩ自体は正しく復号される可能性が高くなる。すなわち、ＰＤＣＣＨに比べて誤検出の発生確率が高いＲ−ＰＤＣＣＨにおける誤り検出性能を向上できるので、システム全体におけるFalse alarmの発生確率を効率良く低減することができる。
【０１６４】
なお、設定部３０１で設定されるＤＣＩサイズが各端末４００に設定されるＤＣＩフォーマットのサイズよりも小さい場合には、制御部１０２がＲＢ割当フィールド又はＭＣＳフィールドのビット数を少なくすることにより、ＤＣＩのサイズを設定ＤＣＩサイズにしても良い。
【０１６５】
また、上記説明では、設定ＤＣＩサイズを１つのサイズとし、且つ、ＤＣＩフォーマットを端末毎にＰＤＣＣＨとＲ−ＰＤＣＣＨとで共通に設定した２種類として説明したが、ＤＣＩフォーマット自体をＲ−ＰＤＣＣＨの場合には１種類に設定しても良い。前者の場合には、データ送信方法(つまり、送信ダイバーシチ又は非連続RB割当)を柔軟に設定できるが、Padding処理が必要となるので、ＤＣＩビット数の増加を招く。一方、後者の場合にはDCIビット数を少なくできるが、送信方法設定の柔軟性は低下する。
【０１６６】
また、本実施の形態におけるＤＣＩサイズ調整処理は、実施の形態１乃至３の基地局１００に対しても適用することができる。
【０１６７】
特に、実施の形態１に適用する場合には、Ｖｉｒｔｕａｌ ＣＲＣの構成ビット数を調整することにより（本実施の形態のパディングビットとしてＶｉｒｔｕａｌ ＣＲＣを用いることにより）、ＤＣＩのサイズを設定ＤＣＩサイズにすることができる。これにより、制御情報の誤検出をさらに低減することができる。
【０１６８】
［他の実施の形態］
（１）上記各実施の形態においては、特定のＤＣＩフォーマット(制御情報フォーマット)のみに対して既知ビット（Ｖｉｒｔｕａｌ ＣＲＣ）を付加してもよい。例えば、ＤＣＩ  ０／１Ａ以外のＤＣＩフォーマットのみにＶｉｒｔｕａｌ ＣＲＣを付けるようにしても良い。ＤＣＩ  ０／１Ａは全端末共通のフォーマットであるので、畳み込み符号化の復号が成功する可能性が高く、誤検出が発生する確率は低い。一方、ＤＣＩ  ０／１Ａ以外のＤＣＩフォーマットは送信モードに依存する。従って、他の端末と自局とで設定されているフォーマットが異なる可能性が高いので、誤検出の発生する確率が高い。より誤検出される確率が高いＤＣＩフォーマットにのみＶｉｒｔｕａｌ ＣＲＣを付加することにより、オーバーヘッドの増加を抑えることができる。
【０１６９】
（２）上記各実施の形態において、Ｒ−ＰＤＣＣＨ領域にもＣ−ＳＳを定義する場合には、Ｃ−ＳＳで送信されるＤＣＩには、Ｖｉｒｔｕａｌ ＣＲＣを挿入しないようにしても良い。Ｃ−ＳＳで送信されるＤＣＩフォーマットは限定されるので、他の端末と自局とで設定されているフォーマットが同一である可能性が高く、誤検出の発生する確率が低いためである。
【０１７０】
（３）上記各実施の形態において、Ｖｉｒｔｕａｌ ＣＲＣを付加する代わりに、ＣＲＣサイズを増やすようにしても、実施の形態１と同様の効果が得られる。また、Ｒ−ＰＤＣＣＨ領域でＤＣＩが送信される場合には、そのＤＣＩに対して、別途ＣＲＣビットが付加されても良い。
【０１７１】
（４）上記各実施の形態において、端末ＩＤとして、C-RNTI（Cell-Radio Network Temporary Identifier）などのRNTIが用いられても良い。
【０１７２】
（５）上記各実施の形態における「全端末共通のＤＣＩフォーマット」という表現は、「送信モードに依存しないＤＣＩフォーマット」と読み替えることもできる。
【０１７３】
（６）上記各実施の形態では、端末送信モードに依存しないフォーマットをＤＣＩ  ０／１Ａとして説明したが、これに限定されるものではなく、端末送信モードに依存せず用いられるフォーマットなら何でもよい。
また、送信モード依存のＤＣＩとして、ＤＣＩ  １，２，２Ａ，２Ｂ，２Ｃ，２Ｄ，０Ａ，０Ｂ以外のフォーマットが用いられても良い。
また、上り回線または下り回線の送信モードとして、連続帯域割当送信を含めてもよい。この送信モードが設定された端末は、送信モード依存のＤＣＩは、それぞれＤＣＩ  ０(上り回線)とＤＣＩ  １Ａ（下り回線）となる。この場合、全端末共通のＤＣＩフォーマットと送信モード依存のフォーマットとが同一となるので、ＵＥ−ＳＳでは、上り回線及び下り回線でそれぞれ１種類のフォーマットを対象としてブラインド復号すれば良い。なお、上り下りともに連続帯域割当の場合は、あわせて１種類となる。
ＤＣＩ  ０／１Ａをよりサーチスペースが広い送信モード依存のＤＣＩに設定することにより、もともと伝搬路状況が劣悪なためＤＣＩ  ０／１ＡでしかＰＤＣＣＨが割り当てられない端末に対するブロック率の増加を防ぐことができる。
【０１７４】
（７）上記各実施の形態で説明したＣＣＥ及びＲ−ＣＣＥは論理的なリソースである。ＣＣＥ及びＲ−ＣＣＥが実際の物理的な時間・周波数リソースへ配置される場合には、ＣＣＥは、全帯域に渡って分散して配置され、Ｒ−ＣＣＥは特定のＲＢ内に渡って分散して配置される。また、それ以外の配置方法であっても、同様に本発明の効果を得ることができる。
【０１７５】
（８）上記各実施の形態におけるＲ−ＰＤＣＣＨは、Ｅ−ＰＤＣＣＨ（Enhanced-PDCCH）と呼ばれることもある。
【０１７６】
（９）上記各実施の形態においては、データが送信される可能性のある周波数リソースを用いて送信される制御チャネルであれば、Ｒ−ＰＤＣＣＨでなくても本発明を適用し同様の効果を得ることができる。
【０１７７】
（１０）上記各実施の形態ではアンテナとして説明したが、本発明はアンテナポート（antenna port）でも同様に適用できる。
【０１７８】
アンテナポートとは、１本又は複数の物理アンテナから構成される、論理的なアンテナを指す。すなわち、アンテナポートは必ずしも１本の物理アンテナを指すとは限らず、複数のアンテナから構成されるアレイアンテナ等を指すことがある。
【０１７９】
例えば3GPP LTEにおいては、アンテナポートが何本の物理アンテナから構成されるかは規定されず、基地局が異なる参照信号（Reference signal）を送信できる最小単位として規定されている。
【０１８０】
また、アンテナポートはプリコーディングベクトル（Precoding vector）の重み付けを乗算する最小単位として規定されることもある。
【０１８１】
（１１）上記説明したＰＤＣＣＨ領域においてはＰＤＣＣＨ以外にもＰＨＩＣＨやＰＣＦＩＣＨなどの別の制御チャネル及び参照信号が送信されてもよい。
【０１８２】
（１２）上記各実施の形態では、本発明をハードウェアで構成する場合を例にとって説明したが、本発明はハードウェアとの連携においてソフトウェアでも実現することも可能である。
【０１８３】
（１３）上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１８４】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【０１８５】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１８６】
２０１０年９月３日出願の特願２０１０−１９７７６５の日本出願に含まれる明細書、図面および要約書の開示内容は、すべて本願に援用される。
【産業上の利用可能性】
【０１８７】
本発明の基地局、端末、送信方法、及び受信方法は、制御情報の誤検出を低減することにより、システムスループットの低下を防止できるものとして有用である。
【符号の説明】
【０１８８】
１００，３００  基地局
１０１，３０１  設定部
１０２  制御部
１０３  サーチスペース設定部
１０４，３０４  ＰＤＣＣＨ生成部
１０５，１０６，１０７  符号化・変調部
１０８  割当部
１０９  多重部
１１０，２１３  ＩＦＦＴ部
１１１，２１４  ＣＰ付加部
１１２，２１５  送信ＲＦ部
１１３，２０１  アンテナ
１１４，２０２  受信ＲＦ部
１１５，２０３  ＣＰ除去部
１１６，２０４  ＦＦＴ部
１１７  抽出部
１１８  ＩＤＦＴ部
１１９  データ受信部
１２０  ＡＣＫ／ＮＡＣＫ受信部
１３１  送信領域設定部
１３２  送信モード設定部
２００，４００  端末
２０５  分離部
２０６，４０６  設定情報受信部
２０７，４０７  ＰＤＣＣＨ受信部
２０８  ＰＤＳＣＨ受信部
２０９，２１０  変調部
２１１  ＤＦＴ部
２１２  マッピング部
【図１】
2012029244.tif 000004
【図２】
2012029244.tif 000005
【図３】
2012029244.tif 000006
【図４】
2012029244.tif 000007
【図５】
2012029244.tif 000008
【図６】
2012029244.tif 000009
【図７】
2012029244.tif 000010
【図８】
2012029244.tif 000011
【図９】
2012029244.tif 000012
【図１０】
2012029244.tif 000013
【図１１】
2012029244.tif 000014
【図１２】
2012029244.tif 000015
【図１３】
2012029244.tif 000016
【図１４】
2012029244.tif 000017
【図１５】
2012029244.tif 000018
【国際調査報告】
2012029244.tif 000019
2012029244.tif 000020